(57)【要約】【課題】制御基板に対する不正行為を低減させることができる遊技機を提供。【解決手段】基板ケース１０１は、ベース部材１０４およびカバー部材１０５と、基板ケース１０１を封止して開封不可とする第１封止構造１４０と、を備え、第１封止構造１４０は、ベース部材１０４に設けられる第１封止部１４１と、カバー部材１０５に設けられる第２封止部１４２と、第１封止部１４１と第２封止部１４２とに亘って移動自在に設けられる移動部材１４３と、を備える。移動部材１４３は、基板ケース１０１に対する外部からの直接操作が不能であるとともに、係止位置と非係止位置との間を移動可能に設けられ、基板ケース１０１を回転させて生じる遠心力により、移動部材１４３が非係止位置に移動して基板ケース１０１が開封可能となる。【選択図】図１４
2018102624.tif 000002
【特許請求の範囲】
【請求項１】
所定の遊技に関する制御を司る制御基板を内部に収容する基板ケースを備えた遊技機であって、
前記基板ケースは、
前記制御基板を収容する収容空間を構成する第１ケース体および第２ケース体と、
前記第１ケース体と前記第２ケース体とを封止する封止手段と、を備え、
前記封止手段は、
前記第１ケース体に設けられる第１封止部と、
前記第２ケース体に設けられる第２封止部と、
前記第１封止部と前記第２封止部とに亘って移動自在に設けられる移動部材と、を備え、
前記移動部材は、前記基板ケースに対する外部からの直接操作が不能であるとともに、前記第１封止部と前記第２封止部とに係止する係止位置と、係止が解除される非係止位置と、の間を移動可能に設けられ、
前記移動部材を係止位置に移動させることで前記基板ケースが開封不能となり、前記基板ケースを回転させて生じる遠心力により、前記移動部材を非係止位置に移動させることで前記基板ケースが開封可能となる
ことを特徴とする遊技機。
【請求項２】
請求項１に記載された遊技機において、
前記封止手段は、前記基板ケースの回転中心を挟んで互いに反対側に位置する少なくとも一対で構成される
ことを特徴とする遊技機。
【請求項３】
請求項１または請求項２に記載された遊技機において、
前記基板ケースには、回転中心となる回転中心部が設けられ、
遊技機本体には、前記回転中心部を支持して前記基板ケースを回転させるための回転支持部が設けられている
ことを特徴とする遊技機。
【請求項４】
請求項１から請求項３のいずれかに記載された遊技機において、
前記第１封止部および前記第２封止部の一方には、前記移動部材を収容可能な第１凹部が設けられ、他方には、前記移動部材を挿入可能な第２凹部が設けられ、
前記第１ケース体および前記第２ケース体が互いに組み合わされた状態において、前記第１凹部と前記第２凹部とが連通されて前記移動部材が往復移動可能な移動空間が形成されるとともに、前記基板ケースの回転中心に近い側に前記第２凹部が位置し、前記回転中心から離れた側に前記第１凹部が位置し、
前記移動部材は、前記第１凹部に収容されるとともに前記第２凹部に挿入されない前記非係止位置と、前記第１凹部および前記第２凹部に跨って挿入される前記係止位置と、の間を移動可能に設けられている
ことを特徴とする遊技機。
【請求項５】
請求項４に記載された遊技機において、
前記第１凹部および前記第２凹部は、それぞれ前記移動部材を挿通させる筒状の第１筒部および第２筒部から構成され、
前記第１筒部による前記第１凹部は、前記移動部材の移動方向の長さ寸法以上の深さを有し、前記第２筒部による前記第２凹部は、前記移動部材の移動方向の長さ寸法の略半分の深さを有して形成されている
ことを特徴とする遊技機。
【請求項６】
請求項１から請求項５のいずれかに記載された遊技機において、
前記封止手段は、
前記第１封止部および前記第２封止部の一方に係合するとともに、前記移動部材の係止位置からの移動を規制する規制部材をさらに備え、
前記規制部材の一部を破壊して係合を解除し、該規制部材を取り外して前記移動部材の規制を解除してから、前記移動部材を非係止位置に移動させることで前記基板ケースが開封可能となる
ことを特徴とする遊技機。
【請求項７】
請求項１から請求項６のいずれかに記載された遊技機において、
前記基板ケースの第１ケース体および第２ケース体は、透明樹脂材料から形成され、
前記第１封止部および前記第２封止部における前記移動部材に対応した位置には不透明部が設けられている
ことを特徴とする遊技機。
【発明の詳細な説明】
【技術分野】
【０００１】
本発明は、スロットマシン等に代表される遊技機に関する。
【背景技術】
【０００２】
従来、遊技機の代表例として例えばスロットマシンがある。このスロットマシンは、例えば、遊技場（ホール）の遊技島に固定される筐体と、この筐体に対して開閉可能に支持される前面扉と、によって当該スロットマシンの外殻を形成する遊技機本体を備えている。また、スロットマシンは、遊技の制御を行う制御基板を収容する基板ケースを備え、基板ケースは、遊技機本体の内部に取り付けられ、外部から視認や操作ができないように隠ぺいされている。
【０００３】
基板ケースは、遊技機本体に固定されたベースに対して本体封止機構を介して取り付けられるとともに、ケース自体を封止するためのケース封止機構を備えて構成されている。このような本体封止機構やケース封止機構は、封止機構の所定箇所を破壊しない限り開封できない構造になっている。このため遊技機本体から基板ケースを不正に取り外したり、基板ケースを不正に開封したりすることが困難であるとともに、不正に開封されたことが判別できるようになっていることから、制御基板に対する不正防止が図られている（例えば、特許文献１、２参照）。
【先行技術文献】
【特許文献】
【０００４】
【特許文献１】特開２０１５−２４３２８号公報
【特許文献２】特開２０１３−１４１５００号公報
【発明の概要】
【発明が解決しようとする課題】
【０００５】
しかしながら、制御基板に対する不正行為の巧妙さが増している現状を踏まえると、不正行為をより効果的に抑制することができる不正防止策の実現が望まれている。
【０００６】
本発明の目的は、制御基板に対する不正行為を低減させることができる遊技機を提供することである。
【課題を解決するための手段】
【０００７】
本発明の遊技機は、
所定の遊技に関する制御を司る制御基板を内部に収容する基板ケースを備えた遊技機であって、
前記基板ケースは、
前記制御基板を収容する収容空間を構成する第１ケース体および第２ケース体と、
前記第１ケース体と前記第２ケース体とを封止する封止手段と、を備え、
前記封止手段は、
前記第１ケース体に設けられる第１封止部と、
前記第２ケース体に設けられる第２封止部と、
前記第１封止部と前記第２封止部とに亘って移動自在に設けられる移動部材と、を備え、
前記移動部材は、前記基板ケースに対する外部からの直接操作が不能であるとともに、前記第１封止部と前記第２封止部とに係止する係止位置と、係止が解除される非係止位置と、の間を移動可能に設けられ、
前記移動部材を係止位置に移動させることで前記基板ケースが開封不能となり、前記基板ケースを回転させて生じる遠心力により、前記移動部材を非係止位置に移動させることで前記基板ケースが開封可能となる
ことを特徴とするものである。
【発明の効果】
【０００８】
このような本発明に係る遊技機によれば、遊技機の制御基板に対する不正行為を低減させることができる。
【図面の簡単な説明】
【０００９】
【図１】本発明の一実施形態におけるスロットマシンの斜視図である。
【図２】スロットマシンの正面図である。
【図３】前面扉を開いた状態のスロットマシンの斜視図である。
【図４】前面扉の背面図である。
【図５】筐体の正面図である。
【図６】本体ベースに主制御装置を取り付けた状態の正面図である。
【図７】本体ベースに対する主制御装置の取り付け方法を示す分解斜視図である。
【図８】本体ベースに対する主制御装置の封止構造を拡大して示す分解斜視図である。
【図９】（Ａ）、（Ｂ）は、主制御装置の封止構造を示す断面図である。
【図１０】第１実施形態における主制御装置の正面斜視図である。
【図１１】主制御装置の背面斜視図である。
【図１２】（Ａ）は、主制御装置の正面図であり、（Ｂ）は、（Ａ）のＡ−Ａ線における断面図であり、（Ｃ）は、（Ａ）のＢ−Ｂ線における断面図である。
【図１３】主制御装置の正面分解斜視図である。
【図１４】主制御装置の基板ケースを正面側から見た分解斜視図である。
【図１５】主制御装置の基板ケースを背面側から見た分解斜視図である。
【図１６】基板ケースにおける第１封止構造の一部を正面側から見た分解斜視図である。
【図１７】第１封止構造を背面側から見た分解斜視図である。
【図１８】（Ａ）、（Ｂ）は、第１封止構造の動作を示す断面図である。
【図１９】基板ケースにおける第２封止構造の一部を正面側から見た分解斜視図である。
【図２０】第２封止構造を背面側から見た分解斜視図である。
【図２１】（Ａ）〜（Ｃ）は、第２封止構造の動作を示す断面図である。
【図２２】（Ａ）、（Ｂ）は、主制御装置の開封方法を示す斜視図である。
【図２３】（Ａ）〜（Ｃ）は、それぞれ主制御装置の他の開封方法を示す断面図である。
【図２４】第２実施形態における主制御装置の正面分解斜視図である。
【図２５】主制御装置の基板ケースを正面側から見た分解斜視図である。
【図２６】主制御装置の基板ケースを背面側から見た分解斜視図である。
【図２７】第３実施形態における主制御装置の正面斜視図である。
【図２８】主制御装置の正面分解斜視図である。
【図２９】主制御装置の基板ケースを正面側から見た分解斜視図である。
【図３０】第４実施形態における主制御装置の封止構造を示す正面図である。
【図３１】主制御装置の封止構造を示す断面図である。
【図３２】（Ａ）、（Ｂ）は、主制御装置の封止構造の動作を示す断面図である。
【図３３】（Ａ）、（Ｂ）は、第４実施形態における第１変形例の封止構造を示す正面図および断面図である。
【図３４】（Ａ）、（Ｂ）は、第１変形例の封止構造の動作を示す断面図である。
【図３５】（Ａ）、（Ｂ）は、第４実施形態における第２変形例の封止構造を示す正面図および断面図である。
【図３６】（Ａ）、（Ｂ）は、第２変形例の封止構造の動作を示す断面図である。
【図３７】（Ａ）、（Ｂ）は、第４実施形態における第３変形例の封止構造を示す断面図である。
【図３８】（Ａ）、（Ｂ）は、第４実施形態における第４変形例の封止構造を示す正面図および断面図である。
【図３９】（Ａ）、（Ｂ）は、第４変形例の封止構造の動作を示す断面図である。
【発明を実施するための形態】
【００１０】
以下、本発明の実施形態について、添付図面を参照して説明する。以下では、本発明を遊技機の一種である回胴式遊技機、具体的にはスロットマシン１０に適用した場合の一実施形態について説明する。図１は、スロットマシン１０の斜視図であり、図２は、スロットマシン１０の正面図であり、図３は、前面扉１２を開いた状態のスロットマシン１０の斜視図であり、図４は、前面扉１２の背面図であり、図５は、筐体１１の正面図である。
【００１１】
〔遊技機の全体構造〕
図１から図５に示すように、スロットマシン１０は、その外殻を形成する筐体１１を備えている。筐体１１は、木製のパネルを組み合わせて、全体として前面を開放した箱状に形成されており、遊技ホールへの設置の際にいわゆる島設備に対し釘を打ち付ける等して取り付けられる。なお、筐体１１は、木製のパネルによって構成されるものに限らず、合成樹脂製パネルまたは金属製パネルによって構成されてもよいし、合成樹脂材料または金属材料によって一体の箱状に形成されたものでもよい。筺体１１の側面上部には、筺体１１の内部から外部に通じる開口１１ａが貫通形成されている。筺体１１の側面下部には、スロットマシン１０を運搬する際に利用される取手部１１ｂが設けられている。
【００１２】
筐体１１の前面側には、前面扉１２が開閉可能に取り付けられている。すなわち、筐体１１には、その正面から見て左側部に上下三箇所の支軸１３ａ，１３ｂ，１３ｃ（図５参照）が設けられており、前面扉１２には、各支軸１３ａ，１３ｂ，１３ｃと対応する位置に軸受部１４ａ，１４ｂ，１４ｃ（図４参照）が設けられている。そして、各軸受部１４ａ，１４ｂ，１４ｃに各支軸１３ａ，１３ｂ，１３ｃが挿入された状態では、前面扉１２が筐体１１に対して各支軸１３ａ，１３ｂ，１３ｃを結ぶ上下方向に延びる開閉軸線を中心として回動可能に支持され、前面扉１２の回動によって筐体１１の前面開放側を開放したり閉鎖したりすることができるようになっている。
【００１３】
また、前面扉１２において開閉軸の反対側（正面から見て右側）には、その背面に施錠装置１５が設けられ、筐体１１における施錠装置１５に対応した位置には錠受部１６が設けられている。この施錠装置１５は、筐体１１に対して閉鎖した前面扉１２を開放不能な施錠状態とするものである。前面扉１２の前面右端部には、施錠装置１５と一体化されたキーシリンダ１７が設けられており、キーシリンダ１７に対する所定のキー操作によって施錠装置１５の施錠状態と解錠状態とが切り替えられるように構成されている。すなわち、キーシリンダ１７をキー操作することにより、施錠装置１５を錠受部１６に係合させて施錠状態とすることで、前面扉１２が開放不能となり、施錠装置１５と錠受部１６との係合を解除して解錠状態とすることで、前面扉１２が開放可能となる。なお、キーシリンダ１７としては、不正解錠防止機能の高いオムロック（登録商標）が用いられている。
【００１４】
前面扉１２の前面中央部には、遊技に関する情報を表示するための遊技パネル２０が設けられている。遊技パネル２０は、合成樹脂材料から透明に構成されており、遊技パネル２０を通じてスロットマシン１０の内部が視認可能となっている。この遊技パネル２０に対応した前面扉１２の背面側には、図３、４に示すように、リールユニット２１が取り付けられている。リールユニット２１は、後述する主中継基板７１から延びる電力の分配配線（不図示）や信号線（不図示）を接続するためのコネクタ２１ａ，２１ｂを備え、主制御装置１００によってリールユニット２１の動作が制御されるようになっている。
【００１５】
リールユニット２１は、円筒状（円環状）にそれぞれ形成された左リール２２Ｌ，中リール２２Ｍ，右リール２２Ｒを備えている。各リール２２Ｌ，２２Ｍ，２２Ｒは、その中心軸線が当該リールの回転軸線となるように回転可能に支持されている。各リール２２Ｌ，２２Ｍ，２２Ｒの回転軸線は略水平方向に延びる同一軸線上に配設され、各リール２２Ｌ，２２Ｍ，２２Ｒの表面の一部は遊技パネル２０を通じて視認可能な状態となっている。また、各リール２２Ｌ，２２Ｍ，２２Ｒが正回転すると、遊技パネル２０を通じて各リール２２Ｌ，２２Ｍ，２２Ｒの表面は上から下へ向かって移動しているかのように視認される。
【００１６】
ここで、リールユニット２１の構成を簡単に説明する。各リール２２Ｌ，２２Ｍ，２２Ｒは、それぞれがステッピングモータに連結されており、各ステッピングモータの駆動により各リール２２Ｌ，２２Ｍ，２２Ｒが個別に、すなわちそれぞれ独立して回転駆動し得る構成となっている。ステッピングモータは、例えば５０４パルスの駆動信号（以下、励磁パルスとも言う）を与えることにより１回転されるように設定されており、この励磁パルスによってステッピングモータの回転位置、すなわちリールの回転位置が制御される。また、リールユニット２１には、リールが１回転したことを検出するためのリールインデックスセンサが各リール２２Ｌ，２２Ｍ，２２Ｒに設置されている。そして、リールインデックスセンサからは、リールが１回転したことを検出した場合、その検出の都度、後述する主制御装置１００に検出信号が出力されるようになっている。このため主制御装置１００は、リールインデックスセンサの検出信号と、当該検出信号が入力されるまでに出力した励磁パルス数とに基づいて、各リール２２Ｌ，２２Ｍ，２２Ｒの角度位置を１回転毎に確認するとともに補正することができる。
【００１７】
各リール２２Ｌ，２２Ｍ，２２Ｒの外周面には、その長辺方向（周回方向）に、識別情報としての図柄が複数個、具体的には、各リール２２Ｌ，２２Ｍ，２２Ｒ毎に、２１個の図柄が等間隔に描かれており、そのうち連続する３個の図柄が遊技パネル２０の上段、中段、下段の位置にそれぞれ視認可能に構成されている。このため、所定の位置においてある図柄を次の図柄へ切り替えるには、２４パルス（＝５０４パルス÷２１図柄）の励磁パルスの出力を要する。また、主制御装置１００は、リールインデックスセンサの検出信号が入力されてから出力した励磁パルス数により、遊技パネル２０から視認可能な状態となっている図柄を把握したり、遊技パネル２０から視認可能な位置に所定の図柄を停止させたりする制御を行うことができる。
【００１８】
遊技パネル２０の下方左側には、各リール２２Ｌ，２２Ｍ，２２Ｒの回転を開始させるために操作されるスタートレバー２３が設けられている。スタートレバー２３は、遊技者が遊技（ゲーム）を開始するときに手で押し操作（押される方向は限定されない）するレバーであり、所定数のメダルが投入されている状態でスタートレバー２３が操作されると、各リール２２Ｌ，２２Ｍ，２２Ｒの回転が一斉に（但し、同時である必要はない）開始されるようになっている。
【００１９】
スタートレバー２３の右側には、回転している各リール２２Ｌ，２２Ｍ，２２Ｒを個別に停止させるために操作されるボタン状のストップスイッチ２４Ｌ，２４Ｍ，２４Ｒが設けられている。各ストップスイッチ２４Ｌ，２４Ｍ，２４Ｒは、停止対象となるリール２２Ｌ，２２Ｍ，２２Ｒに対応して配置されている。すなわち、左ストップスイッチ２４Ｌが操作された場合には左リール２２Ｌの回転が停止し、中ストップスイッチ２４Ｍが操作された場合には中リール２２Ｍの回転が停止し、右ストップスイッチ２４Ｒが操作された場合には右リール２２Ｒの回転が停止する。
【００２０】
遊技パネル２０の下方右側には、メダルを投入するためのメダル投入口２５が設けられている。メダル投入口２５から投入されたメダルは、前面扉１２の背面に設けられたセレクタ（不図示）によって取込用通路２６か排出用通路２７のいずれかへ導かれる。そして、取込用通路２６に導かれたメダルは、筺体１１の内部に収容されたホッパ装置３１へと導かれる。一方、排出用通路２７に導かれたメダルは、前面扉１２の前面下部に設けられたメダル排出口２８からメダル受け皿２９へと導かれ、遊技者に返還される。
【００２１】
ホッパ装置３１は、図３、４に示すように、メダルを貯留する貯留タンク３２と、メダルを遊技者に払い出す払出装置３３とにより構成されている。払出装置３３は、図示しないメダル払出用回転板を回転させることにより、排出用通路２７に設けられた開口２７ａへメダルを排出し、排出用通路２７を介してメダル受け皿３０へメダルを払い出すようになっている。また、ホッパ装置３１の右方には、貯留タンク３２内に所定量以上のメダルが貯留されることを回避するための予備タンク３４が設けられている。ホッパ装置３１の貯留タンク３２内部には、この貯留タンク３２から予備タンク３４へとメダルを排出する誘導プレート（不図示）が設けられている。したがって、誘導プレートが設けられた高さ以上にメダルが貯留された場合、かかるメダルが予備タンク３４に貯留されることとなる。
【００２２】
図１、２に示すように、スタートレバー２３の左方には、精算スイッチ３５が設けられている。本スロットマシン１０では、所定の最大値（メダル５０枚分）となるまでの余剰の投入メダルや入賞時の払出メダルを仮想メダルとして貯留記憶するクレジット機能を有しており、仮想メダルが貯留記憶されている状況下で精算スイッチ３５が操作された場合、仮想メダルが現実のメダルとしてメダル排出口２８からメダル受け皿２９に払い出されるようになっている。また、メダル投入口２５に投入されたメダルがセレクタ内に詰まった状況下で精算スイッチ３５が操作された場合、セレクタが機械的に連動して動作され、当該セレクタ内に詰まったメダルがメダル排出口２８から返却されるようになっている。
【００２３】
遊技パネル２０の下方左側には、遊技媒体としてのクレジットされた仮想メダルを最大に投入（例えば、一度に３枚投入）するためのＭＡＸＢＥＴボタン３６が設けられている。また、本実施形態のスロットマシン１０には搭載されていないが、ＭＡＸＢＥＴボタン３６の近傍に、仮想メダルを一度に２枚投入するためのボタン（２ＢＥＴボタン）や、仮想メダルを１枚投入するためのボタン（１ＢＥＴボタン）が設けられていてもよい。精算スイッチ３５およびＭＡＸＢＥＴボタン３６は、スロットマシン１０における主要な遊技操作を行う操作部であることから、これらの操作部からの操作信号は後述する主制御装置１００に伝送されて処理される。
【００２４】
遊技パネル２０の下方略中央には、情報表示部３７が設けられている。情報表示部３７は、クレジットされている仮想メダル数や、ボーナス状態が終了するまでに払い出される残りのメダル数、入賞時に払い出したメダルの枚数、等のメダル数に関する情報がそれぞれ表示される７セグメント表示器から構成されている。なお、情報表示部３７は、７セグメント表示器によって構成されるものに限らず、表示するメダル数の情報を一画面の中に表示する液晶表示器等によって構成されてもよい。情報表示部３７の表示は、主制御装置１００によって制御される。
【００２５】
情報表示部３７の右方には、３つの演出ボタン３８，３９，４０が設けられている。演出ボタン３８は、後述する液晶表示装置５５に表示される画像や動画を切り替えたり、上部ランプ５１や側部ランプ５３の点灯状態を切り替えたりするために用いられる。演出ボタン３９，４０は、後述するスピーカ５７，５８，５９から出力される効果音のボリュームを増減させるために用いられる。これらの演出ボタン３８，３９，４０からの操作信号は後述するサブ制御装置６０に伝送されて処理される。また、メダル受け皿２９の上方には、機種名や遊技に関わるキャラクタなどが表示された下段プレート４１が装着されている。また、メダル受け皿２９の左方には、手前側下方に反転可能な灰皿４２が設けられている。
【００２６】
前面扉１２の前面側において、上部には、上部ランプ５１と左右一対のスピーカグリル５２とが設けられ、左右両側辺には、一対の側部ランプ５３が設けられ、下段プレート４１の両側には、左右一対のスピーカグリル５４が設けられている。上部ランプ５１および側部ランプ５３は、遊技の進行に伴い点灯したり点滅したりすることで演出を行う。また、遊技パネル２０の上方には、遊技者に各種情報を与える液晶表示装置５５が設けられている。液晶表示装置５５は、遊技の進行に伴って各種表示演出を実行したり、電源投入時やエラー発生時にその状態を報知したりするためのものであり、映像を表示する液晶ディスプレイ５６を備えて構成されている。
【００２７】
図３、４に示すように、前面扉１２の背面側において、上部には、左右一対の上部スピーカ５７（図中、右側の上部スピーカは不図示）が設けられ、下部には、左右一対の下部スピーカ５８が設けられ、液晶表示装置５５の背面には、副スピーカ（ウーファー）５９が設けられている。上部スピーカ５７は、遊技の進行に伴い種々の効果音を発生し、この効果音がスピーカグリル５２を通して前面扉１２の前面側に送出される。下部スピーカ５８は、遊技者に遊技状態を報知する報知音を発生し、この報知音がスピーカグリル５４を通して前面扉１２の前面側に送出される。副スピーカ５９は、遊技の進行に伴い重低音等の効果音を発生するものである。
【００２８】
液晶表示装置５５は、液晶ケース５５ａにより外郭が形成され、その液晶ケース５５ａに液晶ディスプレイ５６（図２参照）および液晶基板（不図示）が収容されて構成されている。液晶基板には、映像出力全般の制御を担うＶＤＰ（Ｖｉｄｅｏ  Ｄｉｓｐｌａｙ  Ｐｒｏｃｅｓｓｏｒ）や各種メモリ等の電子部品が搭載されている。液晶ケース５５ａにはコネクタ口が形成され、液晶基板に搭載されるコネクタ５５ｂがコネクタ口を通して前面扉１２の背面側に露出されている。コネクタ５５ｂには、後述するサブ制御装置６０から延びる配線（不図示）が接続されるようになっている。
【００２９】
上部ランプ５１や側部ランプ５３、液晶表示装置５５、上部スピーカ５７や下部スピーカ５８、副スピーカ５９は、サブ制御装置６０によって制御される。サブ制御装置６０は、図３、５に示すように、筐体１１の背面板１１ｃの内面に本体ベース８０を介して取り付けられている。さらに、本体ベース８０には、リールユニット２１やホッパ装置３１を制御して遊技を統括管理する主制御装置１００が取り付けられている。なお、主制御装置１００の詳細については後述する。また、筐体１１の内部においてホッパ装置３１の左方には、電源ボックス７０が設けられている。電源ボックス７０は、その内部に電源装置（不図示）を収容するとともに、サブ制御装置６０や主制御装置１００を始めとする各部に電力を供給するための電源スイッチ（不図示）を備えている。
【００３０】
前面扉１２の背面側には、図３に示すように、主中継基板７１とサブ中継基板７２とが設けられている。主中継基板７１は、電源ボックス７０から主制御装置１００を介して供給される電力、および主制御装置１００から伝送される制御信号をリールユニット２１や、スタートレバー２３、ストップスイッチ２４Ｌ，２４Ｍ，２４Ｒ、精算スイッチ３５、ＭＡＸＢＥＴボタン３６、情報表示部３７等の各部に中継するものである。サブ中継基板７２は、電源ボックス７０からサブ制御装置６０を介して供給される電力、およびサブ制御装置６０から伝送される制御信号を演出ボタン３８，３９，４０、液晶表示装置５５、上部ランプ５１、側部ランプ５３、上部スピーカ５７、下部スピーカ５８、副スピーカ５９等の各部に中継するものである。これらの主中継基板７１とサブ中継基板７２には、それぞれ主制御装置１００およびサブ制御装置６０からの配線（不図示）を接続する入力コネクタと、各部に接続される分配配線（不図示）を接続する分配コネクタと、が設けられている。
【００３１】
サブ制御装置６０は、図５に示すように、基板ケース６１により外郭が形成され、その基板ケース６１にサブ基板（不図示）が収容されて構成されている。サブ基板には、上部ランプ５１や側部ランプ５３、上部スピーカ５７や下部スピーカ５８、副スピーカ５９等の主たる制御を担うＭＰＵ（Ｍｉｃｒｏ  Ｐｒｏｃｅｓｓｉｎｇ  Ｕｎｉｔ）や、各種メモリ等の電子部品の他に、外部との電気的接続を行うための複数のコネクタ６２が搭載されている。このサブ基板は、電子部品の搭載面がサブ制御装置６０の前面側を向くように基板ケース６１に収容されている。基板ケース６１は、その背面側を形成するベース部材（不図示）と、前面側を形成するカバー部材６３とにより構成されている。カバー部材６３にはコネクタ口が開口形成され、コネクタ口を通してコネクタ６２が露出されている。
【００３２】
主制御装置１００は、基板ケース１０１により外郭が形成され、その基板ケース１０１に主基板１０２（図１２、１３等参照）が収容されて構成されている。主基板１０２には、リールユニット２１やホッパ装置３１等の主たる制御を担うＭＰＵ（Ｍｉｃｒｏ  Ｐｒｏｃｅｓｓｉｎｇ  Ｕｎｉｔ）や、各種メモリ等の電子部品の他に、外部との電気的接続を行うための複数のコネクタ１０３が搭載されている。この主基板１０２は、電子部品の搭載面が主制御装置１００の前面側を向くように基板ケース１０１に収容されている。基板ケース１０１は、その背面側を形成するベース部材１０４（図７〜１３等参照）と、前面側を形成するカバー部材１０５とにより構成されている。カバー部材１０５には複数のコネクタ口１０６（図１３参照）が開口形成され、コネクタ口１０６を通してコネクタ１０３が露出されている。また、主制御装置１００には、リセットスイッチ１０７および設定キー挿入孔１０８が設けられている。
【００３３】
リセットスイッチ１０７は、スロットマシン１０の各種状態をリセットするためのスイッチである。本スロットマシン１０は各種データのバックアップ機能を有しており、万一停電が発生した際でも停電時の状態を保持し、停電からの復帰（復電）の際には停電時の状態に復帰できるようになっている。従って、例えば遊技ホールの営業が終了する場合のように通常手順で電源を遮断すると遮断前の状態が記憶保持されるが、リセットスイッチ１０７を押しながら電源をオンすると、バックアップデータがリセット（初期化）されるようになっている。また、電源がオンされている状態でリセットスイッチ１０７を押した場合には、エラー状態がリセットされる。
【００３４】
設定キー挿入孔１０８は、ホール管理者などがメダルの出玉調整を行うためのものである。すなわち、ホール管理者等が設定キーを設定キー挿入孔１０８へ挿入して回転操作することにより、スロットマシン１０の設定状態（各入賞態様の当選確率の設定）を「設定１」から「設定６」まで変更できるようになっている。そして、設定状態が「設定１」に設定された場合、メダル払出枚数の期待値が最も低くなるように入賞態様（役）の抽選を行い、設定状態が「設定６」に設定された場合、メダル払出枚数の期待値が最も高くなるように入賞態様の抽選を行うように構成されている。なお、リセットスイッチ１０７は、エラー状態をリセットする場合の他に、スロットマシン１０の設定状態を変更する場合にも操作される。
【００３５】
〔基板ケースの取付構造〕
次に、図６から図９を参照して、筐体１１の本体ベース８０に対する主制御装置１００の取付構造について説明する。図６は、本体ベース８０に主制御装置１００を取り付けた状態の正面図である。図７は、本体ベース８０に対する主制御装置１００の取り付け方法を示す分解斜視図である。図８は、本体ベース８０に対する主制御装置１００の封止構造９０を拡大して示す分解斜視図である。図９（Ａ）、（Ｂ）は、本体ベース８０に対する主制御装置１００の封止構造９０を示す断面図である。
【００３６】
本体ベース８０は、透明の合成樹脂材料から一体成形された部材であって、筐体１１の背面板１１ｃの内面に固定されている。本体ベース８０は、図６、７に示すように、上下方向に延びるベース基部８１と、このベース基部８１の上端部から右側方に延びる上延出部８２と、ベース基部８１の中間部から右側方に延びる中延出部８３と、ベース基部８１の下端部から右側方に延びる下延出部８４と、を備えて正面視で略Ｅ字状に形成されている。上延出部８２と中延出部８３との間には、背面板１１ｃに固定される上背面部８５が設けられ、中延出部８３と下延出部８４との間には、背面板１１ｃに固定される下背面部８６が設けられている。
【００３７】
ベース基部８１の前面側には、上延出部８２と中延出部８３とに亘る上前面部８１ａが形成されている。上延出部８２には、その前面側の下縁に沿うとともに上背面部８５と対向して下方に延びる上保持片８２ａが形成されている。中延出部８３には、その前面側の上縁に沿うとともに上背面部８５と対向して上方に延びる上保持片８３ａと、この上保持片８３ａと上背面部８５とに亘って前後方向に延びる上載置面８３ｂと、が形成されている。主制御装置１００の基板ケース１０１は、図７に示すように、本体ベース８０の右側から左側にスライドさせるようにして上延出部８２と中延出部８３との間に挿入される。これにより基板ケース１０１は、上載置面８３ｂに載置されつつ、上背面部８５と上保持片８２ａ，８３ａとの間に保持され、上下方向および前後方向の移動が規制されるようになっている。
【００３８】
中延出部８３には、その前面側の下縁に沿うとともに下背面部８６と対向して下方に延びる下保持片８３ｃが形成されている。下延出部８４には、その前面側の上縁に沿うとともに下背面部８６と対向して上方に延びる下保持片８４ａと、この下保持片８４ａと下背面部８６とに亘って前後方向に延びる下載置面８４ｂと、が形成されている。サブ制御装置６０の基板ケース６１（図５参照）は、本体ベース８０の右側から左側にスライドさせるようにして中延出部８３と下延出部８４との間に挿入される。これにより基板ケース６１は、下載置面８４ｂに載置されつつ、下背面部８６と下保持片８３ｃ，８４ａとの間に保持され、上下方向および前後方向の移動が規制されるようになっている。
【００３９】
本体ベース８０には、上配線フック８７と、下配線フック８８と、が設けられている。上配線フック８７は、ベース基部８１の上端部側に設けられ、前方側かつ上方に折れ曲がった鉤状に形成されている。この上配線フック８７は、主制御装置１００のコネクタ１０３に接続される複数の配線をまとめて保持するものである。下配線フック８８は、ベース基部８１の下端部側に設けられ、前方側かつ上方に折れ曲がった鉤状に形成されている。下配線フック８８は、サブ制御装置６０のコネクタ６２に接続される複数の配線をまとめて保持するものである。このように主制御装置１００およびサブ制御装置６０からの配線を上配線フック８７および下配線フック８８に保持させておくことで、前面扉１２を筐体１１に対して開閉する際あるいは開放した際に、配線に余計な張力が作用するのを防ぎ、コネクタ６２，１０３からの予期せぬ配線抜けが防止できるようになっている。
【００４０】
本体ベース８０および主制御装置１００には、ベース基部８１と基板ケース１０１とを互いに封印結合する封止構造９０が設けられている。封止構造９０は、本体ベース８０の上前面部８１ａに設けられる係合受け部８１ｂと、基板ケース１０１のカバー部材１０５に設けられる係合突部１１０と、係合受け部８１ｂおよび係合突部１１０に係合する封印ピン９１と、によって構成されている。係合受け部８１ｂおよび係合突部１１０は、それぞれ一対ずつ設けられており、一対からいずれか一方（図６〜９では下側の係合受け部８１ｂおよび係合突部１１０）を選択して封印ピン９１を係合させることで、本体ベース８０に対して基板ケース１０１が封印結合されるようになっている。
【００４１】
図９は、封止構造９０を示す断面図であり、（Ａ）は、図６にＡ−Ａ線で示す水平断面図であり、（Ｂ）は、図６にＢ−Ｂ線で示す鉛直断面図である。図８、９に示すように、係合受け部８１ｂは、上前面部８１ａから背面側に後退した受け凹部８１ｃと、この受け凹部８１ｃの底面に設けられた受け孔部８１ｄと、を有して形成されている。係合突部１１０は、基板ケース１０１のカバー部材１０５から延びる一対の連結部１１１と、これらの連結部１１１に支持された環状の係合環部１１２と、を有して形成され、係合環部１１２の中央に係合孔部１１３が形成されている。一対の連結部１１１の基端部には、その断面を縮小するノッチ１１４が形成されており、このノッチ１１４部分を切断する（破壊する）ことで、カバー部材１０５から係合突部１１０が切り離されるようになっている。
【００４２】
封印ピン９１は、筒状の第１ピン部材９２と、この第１ピン部材９２に挿入可能な第２ピン部材９３と、から構成されている。第１ピン部材９２は、係合環部１１２に嵌る径をもつ大径部９２ａと、この大径部９２ａから係合方向前方に延びる小径部９２ｂと、小径部９２ｂを貫通する挿通孔部９２ｃと、小径部９２ｂよりも係合方向前方にさらに延びる一対の係合片部９２ｄおよび一対の延出片部９２ｅと、を有している。小径部９２ｂの先端には、係合爪９２ｆが形成され、係合片部９２ｄの先端には、係合爪９２ｇが形成されている。第２ピン部材９３は、第１ピン部材９２の挿通孔部９２ｃに嵌る径をもつ頭部９３ａと、この頭部９３ａから係合方向前方に延びる規制片部９３ｂと、頭部９３ａの前方に設けられる第１係合爪９３ｃと、規制片部９３ｂの先端に設けられる第２係合爪９３ｄと、を有して形成されている。
【００４３】
このような封印ピン９１を用いて本体ベース８０に基板ケース１０１を封止する手順を説明する。先ず、図７に示すように、主制御装置１００を本体ベース８０の右側から左側に移動させ、本体ベース８０の上延出部８２と中延出部８３との間に基板ケース１０１をスライドさせて、係合受け部８１ｂの受け凹部８１ｃに係合突部１１０が重なる位置まで挿入する。受け凹部８１ｃと係合突部１１０とが重なることで、挿通孔部９２ｃと係合孔部１１３とが連通されるようになっている。
【００４４】
次に、第１ピン部材９２を係合孔部１１３から挿入し、小径部９２ｂ、一対の係合片部９２ｄおよび一対の延出片部９２ｅを受け孔部８１ｄに挿入する。さらに、第１ピン部材９２を押し込むことで、その大径部９２ａを係合環部１１２の内側に嵌め込むとともに、小径部９２ｂの係合爪９２ｆを受け孔部８１ｄの入り口側の縁に係合させ、一対の係合片部９２ｄの係合爪９２ｇを受け孔部８１ｄの奥側の縁に係合させる。このように第１ピン部材９２を係合突部１１０および係合受け部８１ｂに係合させることで、基板ケース１０１が本体ベース８０に対して移動不能となる。
【００４５】
第１ピン部材９２の係合に続いて、その挿通孔部９２ｃを通して一対の係合片部９２ｄおよび一対の延出片部９２ｅで囲まれた内部に第２ピン部材９３の規制片部９３ｂを挿入する。さらに、第２ピン部材９３を押し込むことで、その頭部９３ａを第１ピン部材９２の挿通孔部９２ｃに嵌め込むとともに、第１係合爪９３ｃを挿通孔部９２ｃの奥側の縁に係合させ、第２係合爪９３ｄを一対の延出片部９２ｅの先端に係合させる。このように第１ピン部材９２に挿入されて係合された第２ピン部材９３は、その頭部９３ａが挿通孔部９２ｃに隙間なく嵌め込まれることで、外部からの操作が困難であり、実質的に第２ピン部材９３を第１ピン部材９２から取り外すことができなくなっている。
【００４６】
第１ピン部材９２は、大径部９２ａが係合環部１１２に嵌まり、小径部９２ｂが係合孔部１１３および受け孔部８１ｄに挿入され、係合爪９２ｆ，９２ｇが受け孔部８１ｄに係合している。さらに、第１ピン部材９２は、その挿通孔部９２ｃに第２ピン部材９３の頭部９３ａが挿入されることで、小径部９２ｂの係合爪９２ｆの移動が規制され、一対の係合片部９２ｄの間に第２ピン部材９３の規制片部９３ｂが挿入されることで、係合爪９２ｇの移動が規制される。したがって、係合爪９２ｆ，９２ｇが受け孔部８１ｄから外れることがなく、第１ピン部材９２は、係合突部１１０および係合受け部８１ｂから実質的に取り外すことができなくなっている。
【００４７】
以上のように、第１ピン部材９２が係合突部１１０および係合受け部８１ｂから取り外し不能に係合することで、本体ベース８０に対して基板ケース１０１が取り外し不能に封止される。このような封止構造９０によって封印結合された基板ケース１０１（主制御装置１００）を本体ベース８０から取り外す場合には、係合突部１１０の連結部１１１をノッチ１１４で切断し、カバー部材１０５から係合突部１１０を切り離すことで、封印結合を解除する。このように連結部１１１を切断しなければ基板ケース１０１が取り外せないようにすることで、不正に主制御装置１００が取り外されたことが判別できるようになっている。
【００４８】
一方、正規の目的で連結部１１１を切断して封印結合を解除し、主制御装置１００が取り外した場合には、基板ケース１０１に残った係合突部１１０と、これに対応する係合受け部８１ｂと、を利用して再び主制御装置１００を本体ベース８０に封印結合することができる。すなわち、一対ずつ設けられた係合受け部８１ｂおよび係合突部１１０の他方（図６〜９では上側の係合受け部８１ｂおよび係合突部１１０）を選択し、これらに封印ピン９１を係合させることで、本体ベース８０に対して主基板ケース１０１が封印結合されるようになっている。この際、先に切り離されて本体ベース８０に残った係合突部１１０および封印ピン９１は、係合受け部８１ｂの裏面側から第２ピン部材９３の係合を解除し、さらに第１ピン部材９２の係合を解除することで、係合受け部８１ｂから取り外すことができるようになっている。
【００４９】
〔第１実施形態の基板ケース〕
以下、本発明の第１実施形態の基板ケースを図１０〜図２３に基づいて説明する。図１０は、第１実施形態における主制御装置１００の正面斜視図である。図１１は、主制御装置の背面斜視図である。図１２（Ａ）は、主制御装置１００の正面図であり、（Ｂ）は、（Ａ）のＡ−Ａ線における断面図であり、（Ｃ）は、（Ａ）のＢ−Ｂ線における断面図である。図１３は、主制御装置１００の正面分解斜視図である。
【００５０】
主制御装置１００は、前述したように、基板ケース１０１と、主基板１０２と、を備え、基板ケース１０１は、第１ケース体としての背面側のベース部材１０４と、第２ケース体としての前面側のカバー部材１０５と、により構成されている。カバー部材１０５には、主基板１０２のコネクタ１０３を露出させる複数のコネクタ口１０６と、本体ベース８０に封止結合される係合突部１１０と、が設けられている。
【００５１】
ベース部材１０４は、前面側が開口した略直方体の箱型に形成され、背面部１２０と、上面部１２１と、下面部１２２と、左右一対の側面部１２３，１２４と、を備えている。背面部１２０のケース内面側には、四隅近傍から立設されたボス部１２５が設けられ、これらのボス部１２５に主基板１０２が固定されている。背面部１２０のケース外面側には、その略中心から突出した回転中心部としての中心突起１２６が設けられ、この中心突起１２６が後述する回転支持部である支持凹部１２ａに挿入可能になっている。
【００５２】
カバー部材１０５は、背面側が開口した略直方体の箱型に形成され、前面部１３０と、上面部１３１と、下面部１３２と、左右一対の側面部１３３，１３４と、を備えている。前面部１３０のうち、正面視で左側に位置する略１／３の範囲は、背面側に一段下がった後退面１３５とされ、この後退面１３５に複数のコネクタ口１０６と係合突部１１０とが形成されている。また、前面部１３０には、前述したリセットスイッチ１０７および設定キー挿入孔１０８を露出させる開口１３６が設けられている。
【００５３】
基板ケース１０１は、ベース部材１０４およびカバー部材１０５の上面部１２１，１３１同士、下面部１２２，１３２同士、側面部１２３，１２４，１３３，１３４同士を、それぞれ突き合わせることで閉じられ、これにより主基板１０２を収容する収容空間Ｓが構成されている。基板ケース１０１には、ベース部材１０４とカバー部材１０５とを組み合わせた状態で封止する封止手段としての第１封止構造１４０および第２封止構造１５０が設けられている。第１封止構造１４０は、左側の側面部１２３，１３３および右側の側面部１２４，１３４の各上下方向の中心部に設けられ、第２封止構造１５０は、上面部１２１，１３１および下面部１２２，１３２の各左右方向の中心部に設けられている。
【００５４】
以下、基板ケース１０１の第１封止構造１４０および第２封止構造１５０について図１４〜図２１も参照して詳しく説明する。図１４は、主制御装置１００の基板ケース１０１を正面側から見た分解斜視図である。図１５は、主制御装置１００の基板ケース１０１を背面側から見た分解斜視図である。図１６は、基板ケース１０１における第１封止構造１４０の一部を正面側から見た分解斜視図である。図１７は、第１封止構造１４０を背面側から見た分解斜視図である。
【００５５】
第１封止構造１４０は、ベース部材１０４に設けられる第１封止部１４１と、カバー部材１０５に設けられる第２封止部１４２と、第１封止部１４１と第２封止部１４２とに亘って移動自在に設けられる移動部材１４３と、を備える。この第１封止構造１４０は、ベース部材１０４とカバー部材１０５とを組み合わせて基板ケース１０１を閉じることで、第１封止部１４１と第２封止部１４２とが互いに嵌め合わされ、第１封止部１４１と第２封止部１４２とで囲まれた内部に移動部材１４３が支持されるようになっている。
【００５６】
第１封止部１４１は、図１６に示すように、ベース部材１０４の側面部１２４（または、側面部１２３）からケース内部側に凹んで形成されており、側面部１２４（，１２３）からケース内方に折れ曲がる上下一対の対向面部１４１ａと、これら一対の対向面部１４１ａを連結して側面部１２４（，１２３）に平行な底面部１４１ｂと、底面部１４１ｂに立設された筒状部１４１ｃと、を有している。一対の対向面部１４１ａは、側面部１２４（，１２３）の側の間隔距離が大きく、底面部１４１ｂの側の間隔距離が小さくなる段付き状に形成されている。また、第１封止部１４１の内部に面する背面部１２０には、複数の凹凸が並んだ凹凸面部１４１ｄが設けられている。
【００５７】
第２封止部１４２は、図１７に示すように、カバー部材１０５の側面部１３４（または、側面部１３３）から背面側（ベース部材１０４側）に延出する延出面部１４２ａと、この延出面部１４２ａに直交してケース内部側に延びる突出面部１４２ｂと、延出面部１４２ａの内面に立設された筒状部１４２ｃと、延出面部１４２ａの上下端縁に沿ってケース内部側に延びる一対のリブ部１４２ｄと、を有している。延出面部１４２ａおよび突出面部１４２ｂの内面には、複数の凹凸が並んだ凹凸面部１４２ｅ，１４２ｆが設けられている。一対のリブ部１４２ｄは、第１封止部１４１の一対の対向面部１４１ａ間に挿入可能な間隔で設けられている。
【００５８】
移動部材１４３は、金属材料から形成された円柱状部材であって、その両端部にはテーパが形成されている。第１封止部１４１の筒状部１４１ｃは、移動部材１４３を挿入可能な第２凹部であって、筒状部１４１ｃの内部の長さ寸法（第２凹部の深さ）は、移動部材１４３の長さ寸法の略半分になっている。第２封止部１４２の筒状部１４２ｃは、移動部材１４３を収容可能な第１凹部であって、筒状部１４２ｃの内部の長さ寸法（第１凹部の深さ）は、移動部材１４３の長さ寸法よりも若干長く形成されている。これらの筒状部１４１ｃ，１４２ｃの内径は、移動部材１４３の径寸法よりも若干大きく形成され、筒状部１４１ｃ，１４２ｃの内部において移動部材１４３が円滑に往復移動可能に構成されている。
【００５９】
図１８（Ａ）、（Ｂ）は、第１封止構造１４０の動作を示す断面図である。図１８に示すように、ベース部材１０４とカバー部材１０５とを組み合わせて基板ケース１０１を閉じると、第１封止構造１４０には、第１封止部１４１と第２封止部１４２とで囲まれた封止空間Ｓ１が形成される。この封止空間Ｓ１は、ベース部材１０４の背面部１２０と、第１封止部１４１の一対の対向面部１４１ａおよび底面部１４１ｂと、第２封止部１４２の延出面部１４２ａおよび突出面部１４２ｂと、によって六面が構成された略立方体状の閉鎖空間である。この際、背面部１２０、延出面部１４２ａおよび突出面部１４２ｂの各内面に凹凸面部１４１ｄ，１４２ｅ，１４２ｆが設けられていることで、基板ケース１０１の外部から封止空間Ｓ１の内部が認識できないあるいは認識しにくくなっており、すなわち、凹凸面部１４１ｄ，１４２ｅ，１４２ｆによって不透明部が構成されている。
【００６０】
なお、不透明部としては、凹凸面部１４１ｄ，１４２ｅ，１４２ｆによって構成されるものに限らず、不透明な塗料等で着色した着色部によって構成されてもよく、あるいは白化加工によるものや、不透明シート等を貼付したものでもよい。さらに、不透明部は、背面部１２０、延出面部１４２ａおよび突出面部１４２ｂに設けられるものに限らず、筒状部１４１ｃ，１４２ｃに設けられていてもよく、この場合、筒状部１４１ｃ，１４２ｃ自体が不透明に形成されてもよいし、筒状部１４１ｃ，１４２ｃの内部に金属製等の不透明な筒部材を設けることで、外部から移動部材１５３が視認不能になるように構成してもよい。
【００６１】
基板ケース１０１の閉鎖状態において、筒状部１４１ｃ，１４２ｃが互いに連通することで、移動部材１４３が往復移動可能な移動空間Ｓ２が構成されている。図１８（Ａ）に示すように、移動部材１４３が基板ケース１０１の外方側（延出面部１４２ａ側）に移動し、第２封止部１４２の筒状部１４２ｃに収容された状態は、移動部材１４３によって筒状部１４１ｃ，１４２ｃ同士が係止されず、すなわち、移動部材１４３が非係止位置に位置した状態である。移動部材１４３が非係止位置に位置すると、第１封止部１４１と第２封止部１４２とが互いに係止されないことから、第１封止構造１４０が非封止状態となる。
【００６２】
基板ケース１０１を閉鎖する際には、第２封止部１４２の筒状部１４２ｃに移動部材１４３を収容してから、ベース部材１０４とカバー部材１０５とを重ね、第１封止部１４１と第２封止部１４２と嵌め合わせることで、構成される移動空間Ｓ２内部に移動部材１４３が支持される。第１封止部１４１と第２封止部１４２と嵌め合わせてから、基板ケース１０１を傾けることで、図１８（Ｂ）に示すように、移動部材１４３が基板ケース１０１の内方側（底面部１４１ｂ側）に移動させる。移動した移動部材１４３が筒状部１４１ｃ，１４２ｃに跨って位置することで、移動部材１４３によって筒状部１４１ｃ，１４２ｃ同士が係止された状態、すなわち、移動部材１４３が係止位置に位置した状態となる。このように移動部材１４３が係止位置に位置することで、第１封止部１４１と第２封止部１４２とが互いに係止されることとなり、したがって第１封止構造１４０が封止状態となる。
【００６３】
ここで、第１封止構造１４０は、基板ケース１０１の左右に一対で設けられていることから、基板ケース１０１を傾けて重力によって移動部材１４３を非係止位置に移動させようとした場合、一方の第１封止構造１４０における移動部材１４３は非係止位置に移動したとしても、他方の第１封止構造１４０における移動部材１４３は係止位置にとどまることから、いずれかの第１封止構造１４０における封止状態が維持されるようになっている。
【００６４】
図１９は、基板ケース１０１における第２封止構造１５０の一部を正面側から見た分解斜視図である。図２０は、第２封止構造１５０を背面側から見た分解斜視図である。第２封止構造１５０は、ベース部材１０４に設けられる第１封止部１５１と、カバー部材１０５に設けられる第２封止部１５２と、第１封止部１５１と第２封止部１５２とに亘って移動自在に設けられる移動部材１５３と、第１封止部１５１に係合するとともに移動部材１５３の移動を規制する規制部材１５４と、を備える。この第２封止構造１５０は、ベース部材１０４とカバー部材１０５とを組み合わせて基板ケース１０１を閉じることで、第１封止部１５１と第２封止部１５２とが互いに嵌め合わされ、第１封止部１５１と第２封止部１５２とで囲まれた内部に移動部材１５３が支持されるようになっている。
【００６５】
第１封止部１５１は、図１９に示すように、ベース部材１０４の下面部１２２（または、上面部１２１）からケース内部側に凹んで形成されており、下面部１２２（，１２１）からケース内方に折れ曲がる左右一対の対向面部１５１ａと、これら一対の対向面部１５１ａを連結して下面部１２２（，１２１）に平行な底面部１５１ｂと、底面部１５１ｂに立設された筒状部１５１ｃと、を有している。一対の対向面部１５１ａは、下面部１２２（，１２１）の側の間隔距離が大きく、底面部１５１ｂの側の間隔距離が小さくなる段付き状に形成されている。また、第１封止部１５１の内部に面する背面部１２０には、複数の凹凸が並んだ凹凸面部１５１ｄが設けられている。さらに、背面部１２０には、規制部材１５４を挿通させる貫通孔１５５と、規制部材１５４が係合する一対の被係合部１５６と、が設けられている。
【００６６】
第２封止部１５２は、図２０に示すように、カバー部材１０５の下面部１３２（または、上面部１３１）から背面側（ベース部材１０４側）に延出する延出面部１５２ａと、この延出面部１５２ａに直交してケース内部側に延びる突出面部１５２ｂと、延出面部１５２ａの内面に立設された筒状部１５２ｃと、延出面部１５２ａの左右端縁に沿ってケース内部側に延びる一対のリブ部１５２ｄと、を有している。延出面部１５２ａおよび突出面部１５２ｂの内面には、複数の凹凸が並んだ凹凸面部１５２ｅ，１５２ｆが設けられている。一対のリブ部１５２ｄは、第１封止部１５１の一対の対向面部１５１ａ間に挿入可能な間隔で設けられている。さらに、延出面部１５２ａには、規制部材１５４の延出片部１５４ｂを挿通させる挿入凹部１５７が設けられている。
【００６７】
移動部材１５３は、金属材料から形成された円柱状部材であって、その両端部にはテーパが形成されている。第１封止部１５１の筒状部１５１ｃは、移動部材１５３を挿入可能な第２凹部であって、筒状部１５１ｃの内部の長さ寸法（第２凹部の深さ）は、移動部材１５３の長さ寸法の略半分になっている。第２封止部１５２の筒状部１５２ｃは、移動部材１５３を収容可能な第１凹部であって、筒状部１５２ｃの内部の長さ寸法（第１凹部の深さ）は、移動部材１５３の長さ寸法よりも若干長く形成されている。これらの筒状部１５１ｃ，１５２ｃの内径は、移動部材１５３の径寸法よりも若干大きく形成され、筒状部１５１ｃ，１５２ｃの内部において移動部材１５３が円滑に往復移動可能に構成されている。
【００６８】
規制部材１５４は、図１９、２０に示すように、略直方体状の規制部材本体１５４ａと、規制部材本体１５４ａの略中央から延出する延出片部１５４ｂと、規制部材本体１５４ａの両端部から延出する一対の係合片部１５４ｃと、規制部材本体１５４ａにおける延出片部１５４ｂと係合片部１５４ｃとの間に設けられる切断部１５４ｄと、を有して合成樹脂材料から一体成形されている。延出片部１５４ｂの先端部には、傾斜面部１５４ｅが形成されている。切断部１５４ｄは、規制部材本体１５４ａの断面を小さくする切り欠きによって構成され、この切断部１５４ｄで規制部材本体１５４ａを切断することで、延出片部１５４ｂと係合片部１５４ｃとを分断できるようになっている。
【００６９】
貫通孔１５５は、矩形状に形成され、規制部材本体１５４ａが隙間なく嵌るようになっている。一対の被係合部１５６は、貫通孔１５５の両端縁から突出して形成され、係合片部１５４ｃが係合することで、規制部材１５４が第１封止部１５１から取り外せないようになっている。挿入凹部１５７は、筒状部１５２ｃと直交するとともに貫通孔１５５に向かって延びており、挿入凹部１５７の内部と筒状部１５２ｃの内部とが連通して形成されている。この挿入凹部１５７から規制部材１５４の延出片部１５４ｂが挿入されることで、筒状部１５２ｃの内部に延出片部１５４ｂの先端部が突出するようになっている。
【００７０】
図２１（Ａ）〜（Ｃ）は、第２封止構造の動作を示す断面図である。図２１に示すように、ベース部材１０４とカバー部材１０５とを組み合わせて基板ケース１０１を閉じると、第２封止構造１５０には、第１封止部１５１と第２封止部１５２とで囲まれた封止空間Ｓ１が形成される。この封止空間Ｓ１は、ベース部材１０４の背面部１２０と、第１封止部１５１の一対の対向面部１５１ａおよび底面部１５１ｂと、第２封止部１５２の延出面部１５２ａおよび突出面部１５２ｂと、によって六面が構成された略立方体状の閉鎖空間である。この際、背面部１２０、延出面部１５２ａおよび突出面部１５２ｂの各内面に凹凸面部１５１ｄ，１５２ｅ，１５２ｆが設けられていることで、基板ケース１０１の外部から封止空間Ｓ１の内部が認識できないあるいは認識しにくくなっており、すなわち、凹凸面部１５１ｄ，１５２ｅ，１５２ｆによって不透明部が構成されている。
【００７１】
なお、不透明部としては、凹凸面部１５１ｄ，１５２ｅ，１５２ｆによって構成されるものに限らず、不透明な塗料等で着色した着色部によって構成されてもよく、あるいは白化加工によるものや、不透明シート等を貼付したものでもよい。さらに、不透明部は、背面部１２０、延出面部１５２ａおよび突出面部１５２ｂに設けられるものに限らず、筒状部１５１ｃ，１５２ｃに設けられていてもよく、この場合、筒状部１５１ｃ，１５２ｃ自体が不透明に形成されてもよいし、筒状部１５１ｃ，１５２ｃの内部に金属製等の不透明な筒部材を設けることで、外部から移動部材１５３が視認不能になるように構成してもよい。
【００７２】
基板ケース１０１の閉鎖状態において、筒状部１５１ｃ，１５２ｃが互いに連通することで、移動部材１５３が往復移動可能な移動空間Ｓ２が構成されている。図２１（Ａ）に示すように、移動部材１５３が基板ケース１０１の外方側（延出面部１５２ａ側）に移動し、第２封止部１５２の筒状部１５２ｃに収容された状態は、移動部材１５３によって筒状部１５１ｃ，１５２ｃ同士が係止されず、すなわち、移動部材１５３が非係止位置に位置した状態である。移動部材１５３が非係止位置に位置すると、第１封止部１５１と第２封止部１５２とが互いに係止されないことから、第２封止構造１５０が非封止状態となる。
【００７３】
基板ケース１０１を閉鎖する際には、第２封止部１５２の筒状部１５２ｃに移動部材１５３を収容してから、ベース部材１０４とカバー部材１０５とを重ね、第１封止部１５１と第２封止部１５２と嵌め合わせることで、構成される移動空間Ｓ２内部に移動部材１５３が支持される。非封止状態の第２封止構造１５０において、規制部材１５４の延出片部１５４ｂおよび係合片部１５４ｃを貫通孔１５５から挿入し、延出片部１５４ｂを挿入凹部１５７から筒状部１５２ｃの内部まで挿入することで、図２１（Ｂ）に示すように、延出片部１５４ｂの先端の傾斜面部１５４ｅが移動部材１５３に接触する。さらに規制部材１５４を押し込むと、傾斜面部１５４ｅに押された移動部材１５３が第１封止部１５１の筒状部１５１ｃに向かって移動する。規制部材本体１５４ａが貫通孔１５５に嵌り、係合片部１５４ｃが被係合部１５６に係合するまで規制部材１５４を押し込むと、図２１（Ｃ）に示すように、延出片部１５４ｂの軸部が筒状部１５２ｃに入り込み、移動部材１５３の略半分の長さが筒状部１５１ｃに挿入される。
【００７４】
規制部材１５４を第１封止部１５１に係合させることで、延出片部１５４ｂによって移動部材１４３が基板ケース１０１の内方側（底面部１４１ｂ側）に移動し、筒状部１５１ｃ，１５２ｃに移動部材１４３が跨った状態となる。このように移動部材１５３によって筒状部１５１ｃ，１５２ｃ同士が係止され、すなわち、移動部材１５３が係止位置に位置し、この係止位置から非係止位置への移動部材１５３の移動が規制部材１５４の延出片部１５４ｂによって規制された規制状態となる。したがって、移動部材１５３が係止位置に規制されることで、第１封止部１５１と第２封止部１５２とが互いに係止され、第２封止構造１５０の封止状態が維持されるようになっている。
【００７５】
このような第２封止構造１５０の封止を解除する場合には、先ず、規制部材１５４の係合を解除して筒状部１５２ｃから延出片部１５４ｂを退避させる必要がある。規制部材１５４の係合を解除する手順としては、切断部１５４ｄを破壊して規制部材本体１５４ａを切断し、延出片部１５４ｂと係合片部１５４ｃとを分断する。次に、延出片部１５４ｂを挿入凹部１５７および貫通孔１５５から抜き出し、延出片部１５４ｂを筒状部１５２ｃから退避させることで、移動部材１５３の規制を解除する。ただし、規制部材１５４の延出片部１５４ｂによる移動部材１５３の規制を解除しても、第２封止構造１５０の封止は解除されない。
【００７６】
すなわち、第２封止構造１５０は、基板ケース１０１の上下に一対で設けられていることから、基板ケース１０１を傾けて重力によって移動部材１５３を非係止位置に移動させようとした場合、一方の第２封止構造１５０における移動部材１５３は非係止位置に移動したとしても、他方の第２封止構造１５０における移動部材１５３は係止位置にとどまることから、いずれかの第２封止構造１５０における封止状態が維持されるようになっている。
【００７７】
以上のように第１封止構造１４０および第２封止構造１５０は、それぞれ移動部材１４３，１５３が移動空間Ｓ２の内部で係止位置と非係止位置との間を往復移動可能になっているものの、基板ケース１０１を傾けたり振ったりしただけでは４箇所全ての封止構造１４０，１５０において同時に、移動部材１４３，１５３を非係止位置に移動させることはできなくなっている。また、移動部材１４３，１５３は、封止構造１４０，１５０の封止空間Ｓ１に密閉されるとともに、移動空間Ｓ２内部に設けられているため、基板ケース１０１に対する外部からの直接操作が不能に設けられている。したがって、少なくとも１つまたは２つの移動部材１４３，１５３が係止位置に位置することで、基板ケース１０１の封止状態が維持されている。
【００７８】
このような主制御装置１００の基板ケース１０１を開封する方法について、図２２、２３に基づいて説明する。図２２（Ａ）、（Ｂ）は、主制御装置１００の開封方法を示す斜視図である。図２３（Ａ）〜（Ｃ）は、それぞれ主制御装置１００の他の開封方法を示す断面図である。移動部材１４３，１５３は、間接的な外力が加えられることよって、係止位置から非係止位置に移動され、これにより封止構造１４０，１５０の封止が解除される。
【００７９】
図２２（Ａ）、（Ｂ）に示す開封方法は、基板ケース１０１を回転させて生じる遠心力により、移動部材１４３，１５３を非係止位置に移動させる方法である。ここで、基板ケース１０１には、前述したように、ベース部材１０４の背面部１２０の略中心から突出した中心突起１２６が設けられている。また、図２２（Ａ）に示すように、遊技機本体である前面扉１２の上面右側端部には、中心突起１２６を支持して基板ケース１０１を回転させるための回転支持部である支持凹部１２ａが設けられている。
【００８０】
図２２（Ｂ）に示すように、中心突起１２６を支持凹部１２ａに挿入し、鉛直軸回りに基板ケース１０１を回転させることで、中心突起１２６を回転中心として外方に向かう遠心力を作用させる。ここで、一対の第１封止構造１４０は、中心突起１２６（回転中心）を挟んで互いに反対側に位置し、一対の第２封止構造１５０は、中心突起１２６（回転中心）を挟んで互いに反対側に位置している。これにより一対の第１封止構造１４０には互いに反対向きの遠心力が作用し、一対の第２封止構造１５０には互いに反対向きの遠心力が作用する。このような遠心力が作用することで、各封止構造１４０，１５０の移動部材１４３，１５３は、ケース内方側の係止位置から外方側の非係止位置に向かって移動する。
【００８１】
このように４箇所全ての封止構造１４０，１５０において、移動部材１４３，１５３を非係止位置に移動させて封止が解除される。封止構造１４０，１５０の封止を解除したら、基板ケース１０１を傾けないように水平状態を維持したまま、ベース部材１０４からカバー部材１０５を離隔させることで、基板ケース１０１を開封することができる。なお、回転支持部である支持凹部１２ａは、前面扉１２に設けられるものに限らず、筐体１１に設けられていてもよいし、さらには、遊技機本体と別体で設けられていてもよい。
【００８２】
図２３（Ａ）〜（Ｃ）に示す開封方法は、それぞれ間接的な外力として、磁力、圧力、または押力を用い、これらの外力によって移動部材１４３，１５３を非係止位置に移動させる方法である。この方法を利用する場合、前述した基板ケース１０１の中心突起１２６および遊技機本体の支持凹部１２ａが省略されていてもよい。
【００８３】
図２３（Ａ）に示す開封方法では、基板ケース１０１の外部から封止構造１４０，１５０に接近させた磁石Ｆ１によって、その磁力で吸引して移動部材１４３，１５３を非係止位置に移動させる。この場合、移動部材１４３，１５３は、磁性体の金属材料から構成されている。なお、移動部材１４３，１５３を磁石から構成し、磁性体の金属材料を基板ケース１０１の外部から封止構造１４０，１５０に接近させることで、移動部材１４３，１５３を移動させることも可能であるが、主基板１０２の電気部品等に磁石である移動部材１４３，１５３が吸引される可能性があるため、好ましくはない。
【００８４】
図２３（Ｂ）に示す開封方法では、流体である空気を吐出するエアポンプＦ２を用い、基板ケース１０１に設けられた挿通孔１２７を通して移動空間Ｓ２に空気を送り込み、この空気の圧力によって移動部材１４３，１５３を非係止位置に移動させる。挿通孔１２７は、気密性を有した連通路１２７ａと、底面部１４１ｂを貫通する貫通孔１２７ｂと、を介して筒状部１４１ｃに連通されている。なお、流体の圧力としては、エアポンプＦ２から吐出する空気で移動部材１４３，１５３を押して移動させる構成に限らず、エアポンプＦ２により吸引する空気で移動部材１４３，１５３を引いて移動させてもよい。また、圧力を作用させるための流体としては、空気に限らず、他の気体でもよいし、水や油等の液体であってもよい。
【００８５】
図２３（Ｃ）に示す開封方法では、針状部材として弾性を有した金属製または合成樹脂製のピン部材Ｆ３を用い、基板ケース１０１に設けられた挿通孔１２８を通して移動空間Ｓ２にピン部材Ｆ３を差し込み、このピン部材Ｆ３で押す押力によって移動部材１４３，１５３を非係止位置に移動させる。挿通孔１２８は、曲面を有してピン部材Ｆ３を案内可能な連通路１２８ａと、底面部１４１ｂを貫通する貫通孔１２８ｂと、を介して筒状部１４１ｃに連通されている。なお、図２３（Ｂ）に示す挿通孔１２８の位置は、特に限定されるものではなく、ベース部材１０４に設けられていてもよいし、カバー部材１０５に設けられていてもよい。
【００８６】
このような本実施形態によれば、以下の作用・効果を奏することができる。
（１）封止構造１４０，１５０は、第１封止部１４１，１５１と、第２封止部１４２，１５２と、移動部材１４３，１５３と、を備え、移動部材１４３，１５３は、基板ケース１０１に対する外部からの直接操作が不能に設けられている。したがって、移動部材１４３，１５３を非係止位置に容易に移動させることができないため、不正目的をもった基板ケース１０１の開封を抑制することができる。
【００８７】
（２）基板ケース１０１を回転させて生じる遠心力によって、移動部材１４３，１５３が係止位置から非係止位置に移動される。このような遠心力の付加方法を知っていれば、移動部材１４３，１５３を非係止位置に移動させて基板ケース１０１を開封することができ、遠心力の付加方法を知らなければ基板ケース１０１を開封することができないことから、スロットマシン１０の主基板１０２に対する不正行為を低減させることができる。
【００８８】
（３）前面扉１２に設けられた支持凹部１２ａに基板ケース１０１の中心突起１２６を支持させ、中心突起１２６を中心として基板ケース１０１を回転させることで遠心力を発生させ、この遠心力によって移動部材１４３，１５３を非係止位置に移動させることができる。したがって、基板ケース１０１を回転させるための支持装置や回転機構を別途準備しなくても、スロットマシン１０の設置場所において簡単に基板ケース１０１の開封操作を実施することができる。
【００８９】
（４）第１封止構造１４０および第２封止構造１５０は、それぞれ基板ケース１０１の回転中心（中心突起１２６を通る軸）を挟んで互いに反対側に位置する一対で構成されているので、遠心力によらずに、例えば重力によって移動部材１４３，１５３を移動させようとしても、各一対の封止構造１４０，１５０における移動部材１４３，１５３を同時に非係止位置に移動させることはできず、基板ケース１０１の封止力を高めることができる。
【００９０】
（５）図２３に示すように、移動部材１４３，１５３に加えられる間接的な外力を磁力、圧力または押力とすれば、より確実に移動部材１４３，１５３を非係止位置に移動させることができる。この際、図２３（Ａ）に示すように、磁石Ｆ１の磁力を用いる場合、この磁石Ｆ１を準備しなければ移動部材１４３，１５３を移動させることができない。図２３（Ｂ）に示すように、エアポンプＦ２からの空気の圧力を用いる場合、エアポンプＦ２を準備しなければ移動部材１４３，１５３を移動させることができない。図２３（Ｃ）に示すように、ピン部材Ｆ３の押力を用いる場合、ピン部材Ｆ３を準備しなければ移動部材１４３，１５３を移動させることができない。したがって、磁力、圧力または押力による移動部材１４３，１５３の移動方法を知らなければ、容易に基板ケース１０１を開封することができず、スロットマシン１０の主基板１０２に対する不正行為を低減させることができる。
【００９１】
（６）基板ケース１０１のベース部材１０４およびカバー部材１０５が透明樹脂材料から形成され、封止構造１４０，１５０における各封止空間Ｓ１の外方側を囲む位置に不透明部としての凹凸面部１４１ｄ，１４２ｅ，１４２ｆ，１５１ｄ，１５２ｅ，１５２ｆが設けられている。これにより、基板ケース１０１の外部から封止空間Ｓ１の内部が認識できないあるいは認識しにくくなっていることで、移動部材１４３，１５３によって基板ケース１０１が封止されていることが気づかれにくくなり、不正な基板ケース１０１の開封をより一層抑制することができる。
【００９２】
（７）封止構造１４０，１５０において、筒状部１４１ｃ，１４２ｃが連通するとともに筒状部１５１ｃ，１５２ｃが連通することで、移動部材１４３，１５３が往復移動可能な移動空間Ｓ２が形成され、この移動空間Ｓ２の内部を移動部材１４３，１５３が直線的に往復移動することで、係止位置と非係止位置との間を移動部材１４３，１５３が円滑に移動することができる。したがって、間接的な外力（遠心力、磁力、圧力または押力）によって移動部材１４３，１５３を非係止位置に移動させる際に、移動空間Ｓ２の内部で移動部材１４３，１５３が引っ掛かって移動不能になる事態が回避でき、基板ケース１０１の開封動作を確実に実施することができる。
【００９３】
（８）封止構造１４０，１５０において、筒状部（第１凹部）１４２ｃ，１５２ｃが移動部材１４３，１５３の長さ寸法以上の長さに形成されることで、非係止位置において筒状部１４２ｃ，１５２ｃの内部に移動部材１４３，１５３を収容することができる。一方、移動部材１４３，１５３の長さ寸法の略半分の長さを有して筒状部（第２凹部）１４１ｃ，１５１ｃが形成されることで、筒状部１４１ｃ，１５１ｃの側に移動部材１４３，１５３が移動した係止位置において、移動部材１４３，１５３が略半分ずつの長さだけ筒状部１４２ｃ，１５２ｃと筒状部１４１ｃ，１５１ｃとに跨って位置することになり、これらを係止して基板ケース１０１を封止状態とすることができる。
【００９４】
（９）第２封止構造１５０は、移動部材１５３の係止位置からの移動を規制する規制部材１５４を備え、規制部材１５４によって規制された移動部材１５３が係止位置から非係止位置に容易に移動しないので、封止状態を維持して基板ケース１０１の開封を防止することができる。すなわち、規制部材１５４の切断部１５４ｄを切断して延出片部１５４ｂを抜き出し、規制を解除してからでなければ移動部材１５３を非係止位置に移動させることができない。したがって、基板ケース１０１を開封するためには、規制部材１５４の係合を解除する第１ステップと、移動部材１５３を非係止位置に移動させる第２ステップと、の２ステップの開封動作が必要となる。このように基板ケース１０１の開封動作を複雑にすることで、スロットマシン１０の主基板１０２に対する不正行為をより一層低減させることができる。
【００９５】
（１０）規制部材１５４が規制部材本体１５４ａと延出片部１５４ｂと係合片部１５４ｃとを備え、第１封止部１５１の貫通孔１５５から延出片部１５４ｂおよび係合片部１５４ｃを挿入し、被係合部１５６に係合片部１５４ｃを係合させることで、ベース部材１０４の外部側から内方に向かって押し込むことによって規制部材１５４を係合させることができる。このような規制部材１５４の係合動作とともに、第２封止部１５２の挿入凹部１５７に延出片部１５４ｂが挿入され、延出片部１５４ｂによって移動部材１５３の移動が規制される。したがって、規制部材１５４の押し込み操作によって、移動部材１５３の移動を規制して基板ケース１０１を封止することができる。
【００９６】
（１１）規制部材１５４の延出片部１５４ｂの先端部に傾斜面部１５４ｅが形成され、傾斜面部１５４ｅが摺接して移動部材１５３を係止位置に向かって移動させることで、規制部材１５４の押し込み操作と同時に移動部材１５３による封止を実行することができる。したがって、基板ケース１０１を封止する際には、移動部材１５３を係止位置に向かって移動させてから規制部材１５４を係合させるような二段階の封止動作が必要がなく、移動部材１５３が非係止位置にある状態から規制部材１５４の押し込み操作だけで、基板ケース１０１の封止を完了することができる。
【００９７】
（１２）規制部材１５４の押し込み方向と移動部材１５３の移動方向とが交差して設けられていることで、係合片部１５４ｃと第１封止部１５１との係合を解除しようとする無理な力によって規制部材１５４を不正に取り外そうとしても、その無理な力が規制部材１５４を介して移動部材１５３を移動させることがない。したがって、無理な力によって規制部材１５４が取り外されたとしても、移動部材１５３が係止位置に残ることで、基板ケース１０１の封止状態を維持することができる。
【００９８】
〔第１実施形態の基板ケースの変形例〕
第１実施形態の基板ケース１０１では、封止構造１４０，１５０がケース周面の４箇所に設けられていたが、封止構造１４０，１５０は少なくとも１箇所以上に設けられていればよく、その設置数は特に限定されない。ただし、基板ケース１０１を単純に傾けるだけで移動部材１４３，１５３が非係止位置に移動してしまうことを避けるためには、一対の封止構造１４０，１５０がケース周面における互いに反対側の面に設けられていることが好ましい。
【００９９】
また、第１実施形態の基板ケース１０１では、左右の側面部１２３，１２４，１３３，１３４に一対の第１封止構造１４０が設けられ、上面部１２１，１３１および下面部１２２，１３２に一対の第２封止構造１５０が設けられていたが、このような構成に限定されず、封止構造１４０，１５０を設ける位置は任意に設定可能である。また、第２封止構造１５０は、第１実施形態の基板ケース１０１では必須ではなく、第２封止構造１５０を省略して第１封止構造１４０だけを設けてもよい。
【０１００】
また、図２２に示すように、基板ケース１０１を回転させた遠心力によって移動部材１４３，１５３を非係止位置に移動させる場合には、一対の封止構造１４０，１５０における移動部材１４３，１５３の係止位置が回転中心（中心突起１２６）に近い側に設けられ、非係止位置が回転中心から遠い側に設けられることが好ましい。これに対して、図２３に示すように、遠心力以外の間接的な外力（磁力、圧力、押力）によって移動部材１４３，１５３を移動させる構成の場合には、移動部材１４３，１５３の係止位置と非係止位置の向きは特に限定されず、任意の向きに設定すればよい。
【０１０１】
また、移動部材１４３，１５３を非係止位置に移動させる間接的な外力としては、遠心力、磁力、圧力、押力に限らず、重力であってもよい。間接的な外力が重力である場合には、封止構造１４０，１５０が複数箇所に設けられ、基板ケース１０１を所定の向きに傾けることで、複数箇所の移動部材１４３，１５３を非係止位置に向かって移動させることができ、傾ける向きが正しくないと移動部材１４３，１５３が非係止位置に移動できないように構成すればよい。すなわち、例えば、２箇所の封止構造１４０，１５０において、それぞれの移動部材が非係止位置に向かう方向が９０°程度以下の角度で交差して設けられ、それらの非係止位置がともに下方または斜め下方を向くように基板ケース１０１を傾けることで、それぞれの移動部材を非係止位置に移動させる構成が採用可能である。
【０１０２】
〔第２実施形態の基板ケース〕
以下、本発明の第２実施形態の基板ケースを図２４〜図２６に基づいて説明する。図２４は、第２実施形態における主制御装置１００の正面分解斜視図である。図２５は、主制御装置１００の基板ケース１０１Ａを正面側から見た分解斜視図である。図２６は、主制御装置１００の基板ケース１０１Ａを背面側から見た分解斜視図である。本実施形態の基板ケース１０１Ａは、前記第１実施形態の基板ケース１０１と略同様の基本構成を備え、前記第１封止構造１４０に替えて第２封止構造１５０が設けられている点が相違する。以下、第１実施形態との相違点について詳しく説明し、第１実施形態との共通点については、同一符号を付して説明を省略または簡略する。
【０１０３】
基板ケース１０１Ａにおいて、第１実施形態の基板ケース１０１と同様に上面部１２１，１３１および下面部１２２，１３２に第２封止構造１５０が設けられるとともに、左右の側面部１２３，１２４，１３３，１３４にも一対の第２封止構造１５０が設けられている。すなわち、基板ケース１０１Ａには、上下左右４箇所に第２封止構造１５０が設けられている。このような基板ケース１０１Ａでは、ケースの封止状態において、第２封止構造１５０の移動部材１５３が規制部材１５４によって非係止位置への移動が規制され、封止状態が維持されるようになっている。そして、封止を解除する場合には、４箇所の第２封止構造１５０の各々において、規制部材１５４を破壊して移動部材１５３の規制を解除してから、第１実施形態と同様に基板ケース１０１Ａを回転させて生じる遠心力により、移動部材１５３を非係止位置に移動させる。
【０１０４】
なお、本実施形態の基板ケース１０１Ａにおいて、第２封止構造１５０の移動部材１５３を非係止位置に移動させる間接的な外力としては、基板ケース１０１Ａを回転させることによる遠心力に限らず、前記第１実施形態の図２３（Ａ）〜（Ｃ）に示すように、磁力、圧力、または押力であってもよい。
【０１０５】
このような本実施形態によれば、前記（１）〜（１２）の効果に加え、以下の作用・効果を奏することができる。
（１３）４箇所の第２封止構造１５０全てにおいて、規制部材１５４の規制を解除する第１ステップと、基板ケース１０１Ａを回転させて移動部材１５３を非係止位置に移動させる第２ステップと、を実行しないと基板ケース１０１Ａを開封することができない。したがって、基板ケース１０１の開封動作がより複雑になることで、不正に開封しようとした場合に時間を掛けさせることができ、スロットマシン１０の主基板１０２に対する不正行為をより一層低減させることができる。
【０１０６】
〔第２実施形態の基板ケースの変形例〕
第２実施形態の基板ケース１０１Ａでは、第２封止構造１５０がケース周面の４箇所に設けられていたが、第２封止構造１５０は少なくとも１箇所以上に設けられていればよく、その設置数は特に限定されない。ただし、規制部材１５４の規制を解除した後に、基板ケース１０１Ａを単純に傾けるだけで移動部材１５３が非係止位置に移動してしまうことを避けるためには、一対の第２封止構造１５０がケース周面における互いに反対側の面に設けられていることが好ましい。
【０１０７】
また、第２実施形態の基板ケース１０１Ａでは、ケースの４面にそれぞれ第２封止構造１５０が設けられていたが、このような構成に限定されず、第２封止構造１５０を設ける位置は任意に設定可能である。また、基板ケース１０１Ａを回転させた遠心力によって移動部材１５３を非係止位置に移動させる場合には、第２封止構造１５０における移動部材１５３の係止位置が回転中心（中心突起１２６）に近い側に設けられ、非係止位置が回転中心から遠い側に設けられることが好ましい。これに対して、遠心力以外の間接的な外力（磁力、圧力、押力）によって移動部材１５３を移動させる構成の場合には、移動部材１５３の係止位置と非係止位置の向きは特に限定されず、任意の向きに設定すればよい。
【０１０８】
また、第２封止構造１５０において、規制部材１５４は、ベース部材１０４の背面部１２０に設けられた貫通孔１５５（図１９〜２１参照）から挿入され、背面部１２０の内部側に設けられた被係合部１５６に係合する構成であったが、この構成に限定されない。例えば、カバー部材１０５の前面部１３０に貫通孔および被係合部が設けられていてもよいし、基板ケース１０１Ａの周面部（上面部、下面部、側面部）に貫通孔および被係合部が設けられていてもよい。さらに、規制部材は、貫通孔１５５から挿入されて被係合部１５６に係合する構成に限らず、背面部や前面部、周面部に沿ってスライド自在に設けられたスライダ状のものでもよいし、背面部や前面部、周面部に対して突没自在に設けられたボタン状のものでもよいし、回転自在に設けられたつまみ状のものでもよい。
【０１０９】
第２実施形態の基板ケース１０１Ａでは、第２封止構造１５０の移動部材１５３が間接的な外力（遠心力、磁力、圧力、押力）によって非係止位置に移動されるものに限らず、ケース外部からの直接操作によって非係止位置に移動可能に構成されていてもよい。この場合でも、規制部材１５４の規制を解除する第１ステップと、移動部材１５３を非係止位置に移動させる第２ステップと、の２ステップの開封動作が必要となり、基板ケース１０１Ａの開封動作を複雑にすることができるので、不正行為を抑制することができる。
【０１１０】
〔第３実施形態の基板ケース〕
以下、本発明の第３実施形態の基板ケースを図２７〜図２９に基づいて説明する。図２７は、第３実施形態における主制御装置１００の正面斜視図である。図２８は、主制御装置１００の正面分解斜視図である。図２９は、主制御装置１００の基板ケース１０１Ｂを正面側から見た分解斜視図である。本実施形態の基板ケース１０１Ｂは、前記第１実施形態の基板ケース１０１と略同様の基本構成を備え、前記第２封止構造１５０に替えて第１封止構造１４０が設けられている点と、これら４箇所の第１封止構造（第１封止手段）１４０に加えて第２封止手段としてのケースかしめ構造１６０を備える点と、が相違する。以下、第１実施形態との相違点について詳しく説明し、第１実施形態との共通点については、同一符号を付して説明を省略または簡略する。
【０１１１】
基板ケース１０１Ｂにおいて、第１実施形態の基板ケース１０１と同様に左右の側面部１２３，１２４，１３３，１３４に第１封止構造１４０が設けられるとともに、上面部１２１，１３１および下面部１２２，１３２にも一対の第１封止構造１４０が設けられている。すなわち、基板ケース１０１Ｂには、上下左右４箇所に第１封止構造１４０が設けられている。このような基板ケース１０１Ｂでは、第１実施形態と同様に基板ケース１０１Ｂを回転させて生じる遠心力により、４箇所の第１封止構造１４０全ての移動部材１４３を非係止位置に移動させることで、封止が解除されるようになっている。
【０１１２】
ケースかしめ構造１６０は、ベース部材１０４の側面部１２３から突出して設けられる第１ブラケット１６１と、カバー部材１０５の側面部１３３から突出して設けられる第２ブラケット１６２と、第１ブラケット１６１および第２ブラケット１６２に係合することで基板ケース１０１Ｂを封止する封止部材としての封印キャップ１６３と、を備える。このケースかしめ構造１６０は、前記特許文献２に記載された第１封印形成部、第２封印形成部およびカバー部材からなる封止構造と略同様である。すなわち、基板ケース１０１Ｂを閉じて第１ブラケット１６１と第２ブラケット１６２とを重ねた状態で、第１ブラケット１６１および第２ブラケット１６２に封印キャップ１６３を被せて係合させることで、基板ケース１０１Ｂが封止されるようになっている。
【０１１３】
第１ブラケット１６１は、ベース部材１０４の側面部１２３に連結される連結部１６１ａを有し、この連結部１６１ａを切断することでベース部材１０４から分離できるようになっている。第２ブラケット１６２は、カバー部材１０５の側面部１３３に連結される連結部１６２ａを有し、この連結部１６２ａを切断することでカバー部材１０５から分離できるようになっている。封印キャップ１６３は、その基端部のカバー部１６３ａと、カバー部１６３ａに設けられた切断部１６３ｂと、を備え、この切断部１６３ｂを切断することで、カバー部１６３ａが開放できるようになっている。
【０１１４】
このようなケースかしめ構造１６０による封止を解除する場合には、先ず、切断部１６３ｂを切断してカバー部１６３ａを開放し、第２ブラケット１６２の連結部１６２ａを露出させる。次に、露出させた連結部１６２ａを切断して第２ブラケット１６２をカバー部材１０５から分離する。これによりカバー部材１０５がベース部材１０４から離隔可能となり、ケースかしめ構造１６０の封止が解除される。さらに、連結部１６１ａを切断して第１ブラケット１６１をベース部材１０４から分離すれば、分離された第１ブラケット１６１および第２ブラケット１６２と封印キャップ１６３が、基板ケース１０１Ｂから取り外されるようになっている。
【０１１５】
なお、本実施形態の基板ケース１０１Ａにおいて、第１封止構造１４０の移動部材１４３を非係止位置に移動させる間接的な外力としては、基板ケース１０１Ｂを回転させることによる遠心力に限らず、前記第１実施形態の図２３（Ａ）〜（Ｃ）に示すように、磁力、圧力、または押力であってもよい。
【０１１６】
このような本実施形態によれば、前記（１）〜（７）の効果に加え、以下の作用・効果を奏することができる。
（１４）４箇所の第１封止構造１４０において、移動部材１４３を非係止位置に移動させることで封止が解除され、ケースかしめ構造１６０において、少なくとも封印キャップ１６３および第２ブラケット１６２の一部を破壊して係合を解除することで封止が解除される。このように、第１封止構造１４０およびケースかしめ構造１６０の二種類の封止構造において、それぞれの封止を解除しなければ、基板ケース１０１Ｂが開放できないようになっている。したがって、不正目的をもって基板ケース１０１Ｂを開封しようとしても、開封できないかまたは開封するまでに長時間を要することで、スロットマシン１０の主基板１０２に対する不正行為を低減させることができる。
【０１１７】
（１５）第１封止構造１４０とケースかしめ構造１６０とが基板ケース１０１Ｂにおける互いに離れた位置に設けられているので、ケースかしめ構造１６０を発見してその封止を解除できたとしても、第１封止構造１４０の発見や封止解除までに時間を要することとなり、不正目的による基板ケース１０１Ｂの開封を諦めさせる可能性を高めることができる。
【０１１８】
（１６）ケースかしめ構造１６０の封止を解除する際に、封印キャップ１６３の切断部１６３ｂを切断してカバー部１６３ａを開放してから、露出させた第２ブラケット１６２の連結部１６２ａを切断する必要がある。したがって、ケースかしめ構造１６０の封止解除手順として、二度の切断が必要となることから、基板ケース１０１Ｂの開封動作をより複雑にすることができ、不正目的による基板ケース１０１Ｂの開封をより困難にすることができる。
【０１１９】
〔第３実施形態の基板ケースの変形例〕
第３実施形態の基板ケース１０１Ｂでは、第２封止手段としてのケースかしめ構造１６０がケースの側面部１２３，１３３に１箇所だけ設けられていたが、側面部１２３，１３３に限らず、上面部１２１，１３１や下面部１２２，１３２、反対側の側面部１２４，１３４、あるいは背面部１２０や前面部１３０にケースかしめ構造１６０が設けられていてもよいし、これらの複数箇所にケースかしめ構造１６０が設けられていてもよい。また、第１封止構造１４０は、ケースの４面に設けられるものに限らず、その設置数や設置位置は任意に設定可能である。さらに、第１封止構造１４０に替えて第２封止構造１５０が設けられてもよい。
【０１２０】
また、ケースかしめ構造１６０において、封止部材としての封印キャップ１６３がカバー部１６３ａと切断部１６３ｂとを有していたが、封止部材としては、封印キャップ１６３のような形態に限らず、第１ブラケット１６１と第２ブラケット１６２とを係合できるものであればよく、その形態は特に限定されない。さらに、第２封止手段は、基板ケース１０１Ｂから突出して設けられるものに限らず、ケース内部側に没入して設けられていてもよい。
【０１２１】
〔第４実施形態の封止構造〕
以下、本発明の第４実施形態に係る主制御装置の封止構造を図３０〜図３８に基づいて説明する。図３０は、第４実施形態における主制御装置１００の封止構造を示す正面図である。図３１は、主制御装置１００の封止構造を示す断面図である。図３２（Ａ）、（Ｂ）は、主制御装置１００の封止構造の動作を示す断面図である。本実施形態において主制御装置１００の基板ケース１０１は、前記本体ベース８０に対して本体封止部としての前記封止構造９０によって封止されるとともに、本実施形態の封止構造２００によっても封止されている。なお、基板ケースは、前記第１〜第３実施形態のいずれの基板ケース１０１，１０１Ａ，１０１Ｂであってもよいが、以下では基板ケース１０１に基づいて説明する。
【０１２２】
図３０、３１に示すように、封止構造２００は、本体ベース８０に基板ケース１０１を保持して封止するものであって、基板ケース１０１に設けられる第１封止部２０１と、本体ベース８０に設けられる第２封止部２０２と、第１封止部２０１と第２封止部２０２とに亘って移動自在に設けられる移動部材２０３と、を備える。第１封止部２０１は、基板ケース１０１における左側の側面部１２３，１３３から突出して設けられている。第２封止部２０２は、本体ベース８０のベース基部８１における上前面部８１ａと上背面部８５との間に設けられている。
【０１２３】
移動部材２０３は、軸部２０３ａと、軸部２０３ａよりも大径な頭部２０３ｂと、を有しており、軸部２０３ａを下にして上下移動自在に設けられている。第１封止部２０１は、基板ケース１０１に一体に設けられて突出する突出部２１０によって構成され、この突出部２１０の上面には、移動部材２０３の軸部２０３ａを挿入可能な第２凹部である係止凹部２１１と、先端側（図３０、３１の左側）に向かって下方に傾斜した傾斜面部２１２と、が形成されている。傾斜面部２１２は、移動部材２０３の軸部２０３ａ先端に摺接することで、移動部材２０３を上方に移動させることができるようになっている。
【０１２４】
第２封止部２０２は、突出部２１０を挿入可能な挿入空間２２１と、移動部材２０３を収容可能な第１凹部である筒状部２２２と、を備えている。挿入空間２２１は、ベース基部８１の上前面部８１ａと、上背面部８５と、これらを連結して前後方向に延びる仕切り面部８５ａと、で囲まれるとともに、主制御装置１００側（図３０、３１の右側）に開口して形成されている。筒状部２２２は、移動部材２０３の頭部２０３ｂを挿通させるだけの内径を有し、筒状部２２２の下側には、移動部材２０３の軸部２０３ａを下方に突出させる挿通孔２２３が設けられている。このような筒状部２２２および挿通孔２２３と係止凹部２１１とが連通することで、移動部材２０３が上下に往復移動可能な移動空間Ｓ２が形成される。また、筒状部２２２の上側には、連通部２２４が連通して設けられ、ベース基部８１の上前面部８１ａには、連通部２２４を開口させる挿通孔２２５が設けられている。
【０１２５】
以上の封止構造２００において、移動部材２０３は、基板ケース１０１および本体ベース８０に対する外部からの直接操作が不能であるとともに、間接的な外力が加えられることよって、第１封止部２０１と第２封止部２０２とを係止する係止位置と、係止が解除される非係止位置と、の間を移動可能に設けられている。また、封止構造２００が設けられる本体ベース８０の上前面部８１ａには、移動部材２０３が外部から視認不能となるよう、不透明部が設けられている。この不透明部としては、前記第１〜第３実施形態の基板ケース１０１，１０１Ａ，１０１Ｂに設けられたような凹凸面部であってもよいし、不透明な塗料等で着色した着色部であってもよく、さらには透明合成樹脂を白化させたり、不透明シート等を貼付したりして不透明部を形成してもよい。さらには、移動空間Ｓ２を構成する係止凹部２１１および筒状部２２２に金属製等の不透明な筒部材を設けることで、移動空間Ｓ２内部の移動部材２０３が外部から視認不能となるように構成してもよい。
【０１２６】
封止構造２００では、図３１に示すように、基板ケース１０１を本体ベース８０に向かって移動させ、突出部２１０を挿入空間２２１に挿入することで、傾斜面部２１２を移動部材２０３の軸部２０３ａ先端に摺接させ、移動部材２０３を上方に移動させて、筒状部２２２の内部に後退させる。さらに、突出部２１０を挿入空間２２１に挿入し、係止凹部２１１が挿通孔２２３の下方に位置し、これらの係止凹部２１１、筒状部２２２および挿通孔２２３によって移動空間Ｓ２が構成されることで、移動部材２０３が重力により下降して軸部２０３ａが係止凹部２１１に挿入される。図３２（Ａ）に示すように、移動部材２０３の軸部２０３ａが係止凹部２１１に挿入されることにより、移動部材２０３が係止位置に位置し、基板ケース１０１が本体ベース８０に封止される。
【０１２７】
封止構造２００による封止を解除する場合には、図３２（Ｂ）に示すように、間接的な外力の一例として流体である空気の吸引力（圧力）によって、移動部材２０３を非係止位置に移動させる封止解除方法を採用する。具体的には、空気を吸入するエアポンプＦ２を用い、挿通孔２２５および連通部２２４を通して筒状部２２２の空気を吸引し、この空気の吸引力によって移動部材２０３を上昇させ、筒状部２２２の内部に後退させた非係止位置に移動させる。このように移動部材２０３を非係止位置に移動させた状態で突出部２１０を挿入空間２２１から抜き出すことで、基板ケース１０１を本体ベース８０から取り外せるようになっている。
【０１２８】
図３３（Ａ）、（Ｂ）は、第４実施形態における第１変形例の封止構造２００Ａを示す正面図および断面図である。図３４（Ａ）、（Ｂ）は、第１変形例の封止構造２００Ａの動作を示す断面図である。本実施形態の第１変形例の封止構造２００Ａは、第１封止部２０１、第２封止部２０２、および移動部材２０３に加えて、移動部材２０３の係止位置から非係止位置への移動を規制する規制部材２０４を備えている。第２封止部２０２には、ベース基部８１の上前面部８１ａから筒状部２２２に連通する貫通孔２２６と、貫通孔２２６の上下において規制部材２０４が係合するための被係合部２２７と、が形成されている。
【０１２９】
規制部材２０４は、前記第１、第２実施形態の規制部材１５４と略同様に、略直方体状の規制部材本体２３１と、規制部材本体２３１の略中央から延出する延出片部２３２と、規制部材本体２３１の両端部から延出する一対の係合片部２３３と、規制部材本体２３１における延出片部２３２と係合片部２３３との間に設けられる切断部２３４と、を有して合成樹脂材料から一体成形されている。この規制部材２０４は、図３３（Ａ）に示すように、延出片部２３２を貫通孔２２６から筒状部２２２に挿入するとともに、一対の係合片部２３３を被係合部２２７に係合させることで、本体ベース８０に取り付けられる。その際、延出片部２３２が移動部材２０３の上方に位置することで、移動部材２０３の非係止位置への移動が規制され、封止構造２００Ａによる本体ベース８０に対する基板ケース１０１の封止状態が維持されるようになっている。
【０１３０】
封止構造２００Ａによる封止を解除する場合には、先ず、図３４（Ａ）に示すように、切断部２３４を破壊して規制部材本体２３１を切断し、延出片部２３２と係合片部２３３とを分断する。次に、延出片部２３２を貫通孔２２６から抜き出して筒状部２２２から退避させることで、移動部材２０３の規制を解除する。次に、図３４（Ｂ）に示すように、間接的な外力の一例として磁石Ｆ１による磁力を用い、貫通孔２２６から筒状部２２２に磁石Ｆ１を挿入して、その磁力で吸引して移動部材２０３を上昇させて非係止位置に移動させる。この場合、移動部材２０３は、磁性体の金属材料から構成されている。このように移動部材２０３を非係止位置に移動させた状態で突出部２１０を挿入空間２２１から抜き出すことで、基板ケース１０１を本体ベース８０から取り外せるようになっている。
【０１３１】
図３５（Ａ）、（Ｂ）は、第４実施形態における第２変形例の封止構造２００Ｂを示す正面図および断面図である。図３６（Ａ）、（Ｂ）は、第２変形例の封止構造２００Ｂの動作を示す断面図である。第２変形例の封止構造２００Ｂは、前記第１変形例の封止構造２００Ａと同様に、第１封止部２０１、第２封止部２０２、移動部材２０３、および規制部材２０４を備えている。一方、第１変形例の封止構造２００Ａと相違し、第２封止部２０２において、挿入空間２２１と貫通孔２２６とが筒状部２２２に対して上下反転して設けられている。すなわち、第１封止部２０１の突出部２１０が挿入される挿入空間２２１の下側に、移動部材２０３が収容される第１凹部である筒状部２２２が設けられ、この筒状部２２２の下側に、規制部材２０４が挿入される貫通孔２２６が設けられている。
【０１３２】
筒状部２２２には、移動部材２０３の上下移動範囲を規定し、移動部材２０３の抜け出しを制限するガイド部２２２ａが形成されている。移動部材２０３には、ガイド部２２２ａに案内されるピン２０３ｃが長さ方向中央から側方に突出して設けられている。第１封止部２０１における第２凹部である係止凹部２１１は、突出部２１０の下面に設けられ、筒状部２２２から上方に突出した移動部材２０３が挿入可能になっている。
【０１３３】
規制部材２０４は、前記第１変形例の封止構造２００Ａと同様に、規制部材本体２３１、延出片部２３２、一対の係合片部２３３、および切断部２３４を有するとともに、延出片部２３２の上面先端部に傾斜面部２３５が形成されている。この規制部材２０４は、図３６（Ａ）に示すように、延出片部２３２を貫通孔２２６に挿入することで、傾斜面部２３５が移動部材２０３の下端部に摺接し、これにより移動部材２０３を上方の係止位置に移動させるようになっている。さらに、一対の係合片部２３３を被係合部２２７に係合させることで、本体ベース８０に取り付けられ、延出片部２３２が移動部材２０３の下方への移動が規制される。したがって、移動部材２０３の非係止位置への移動が規制され、封止構造２００Ｂによる本体ベース８０に対する基板ケース１０１の封止状態が維持されるようになっている。
【０１３４】
封止構造２００Ｂによる封止を解除する場合には、図３６（Ｂ）に示すように、切断部２３４を破壊して規制部材本体２３１を切断し、延出片部２３２と係合片部２３３とを分断する。次に、延出片部２３２を貫通孔２２６から抜き出して筒状部２２２の下方から退避させることで、移動部材２０３の規制を解除する。このように移動部材２０３の規制を解除することで、間接的な外力の一例として重力によって移動部材２０３が下降して非係止位置に移動する。その後、突出部２１０を挿入空間２２１から抜き出すことで、基板ケース１０１を本体ベース８０から取り外せるようになっている。
【０１３５】
図３７（Ａ）、（Ｂ）は、第４実施形態における第３変形例の封止構造２００Ｃを示す断面図であり、（Ａ）は、封止構造２００Ｃの封止状態を示し、（Ｂ）は、封止構造２００Ｃの開封状態を示している。第３変形例の封止構造２００Ｃは、第１封止部２０１、第２封止部２０２、および移動部材２０３を備えている。スロットマシン１０が遊技ホールの島設備に対して釘打ち等により取り付けられた設置状態において、図３７（Ａ）に示すように、本体ベース８０のベース基部８１が上下方向に延びて設けられている。一方、スロットマシン１０が島設備から取り外されて筐体１１の背面側を下にして寝かされた取外し状態において、図３７（Ｂ）に示すように、本体ベース８０のベース基部８１が水平方向に延びて設けられ、上前面部８１ａが上側に位置するようになっている。
【０１３６】
図３７（Ａ）に示すスロットマシン１０の設置状態では、第１封止部２０１の第２凹部である係止凹部２１１は、突出部２１０の背面から前方側斜め下方に略４５°の角度で延びて設けられている。第２封止部２０２の第１凹部である筒状部２２２は、挿入空間２２１の後方側に斜め上方に略４５°の角度で延びて設けられている。この封止構造２００Ｃでは、突出部２１０を挿入空間２２１に挿入することで、係止凹部２１１と筒状部２２２とが連通されて移動空間Ｓ２が構成され、移動部材２０３は、筒状部２２２に収容される非係止位置と、筒状部２２２と係止凹部２１１とに跨る係止位置と、の間を前後方向に移動可能に設けられている。そして、移動空間Ｓ２が係止凹部２１１に向かって下方に傾斜して設けられることで、重力によって移動部材２０３が係止位置に移動する。これにより、移動部材２０３が第１封止部２０１と第２封止部２０２とを係止し、基板ケース１０１が本体ベース８０に封止される。
【０１３７】
封止構造２００Ｃによる封止を解除する場合には、島設備からスロットマシン１０を取り外してから、筐体１１の背面側を下にして横倒しにすることで、図３７（Ｂ）に示すように、移動空間Ｓ２が筒状部２２２に向かって下方に傾斜して設けられる。このように筒状部２２２が下側に位置して移動空間Ｓ２が設けられることで、重力によって移動部材２０３が移動して筒状部２２２に収容される。このように移動部材２０３を非係止位置に移動させてから突出部２１０を挿入空間２２１から抜き出すことで、基板ケース１０１を本体ベース８０から取り外せるようになっている。
【０１３８】
図３８（Ａ）、（Ｂ）は、第４実施形態における第４変形例の封止構造２００Ｄを示す正面図および断面図である。図３９（Ａ）、（Ｂ）は、第４変形例の封止構造２００Ｄの動作を示す断面図である。第４変形例の封止構造２００Ｄは、第１封止部２０１、第２封止部２０２、および移動部材２０３を備えている。第１封止部２０１において、突出部２１０の側面に第２凹部である係止凹部２１１が設けられている。第２封止部２０２において、第１凹部である筒状部２２２は、挿入空間２２１の前方側に前後方向に延びて設けられている。この筒状部２２２には、ベース基部８１の上前面部８１ａに開口する挿通孔２２８が連通して設けられている。
【０１３９】
封止構造２００Ｄでは、図３９（Ａ）に示すように、突出部２１０を挿入空間２２１に挿入することで、係止凹部２１１と筒状部２２２とが連通されて移動空間Ｓ２が構成され、移動部材２０３は、筒状部２２２に収容される非係止位置と、筒状部２２２と係止凹部２１１とに跨る係止位置と、の間を前後方向に移動可能に設けられている。ここで、ピン部材Ｆ３を用い、挿通孔２２８を通して移動空間Ｓ２にピン部材Ｆ３を差し込み、このピン部材Ｆ２で移動部材２０３を押し込むことで係止位置に移動させる。これにより、移動部材２０３が第１封止部２０１と第２封止部２０２とを係止し、基板ケース１０１が本体ベース８０に封止される。
【０１４０】
封止構造２００Ｄによる封止を解除する場合には、図３９（Ｂ）に示すように、間接的な外力の一例として流体である空気の吸引力（圧力）によって、移動部材２０３を非係止位置に移動させる封止解除方法を採用する。具体的には、空気を吸入するエアポンプＦ２を用い、挿通孔２２８を通して移動空間Ｓ２の空気を吸引し、この空気の吸引力によって移動部材２０３を非係止位置に移動させる。このように移動部材２０３を非係止位置に移動させてから突出部２１０を挿入空間２２１から抜き出すことで、基板ケース１０１を本体ベース８０から取り外せるようになっている。
【０１４１】
なお、第４変形例の封止構造２００Ｄにおいて、図３９に示すように、第２封止部２０２の挿入空間２２１がベース基部８１の背面側に設けられ、筒状部２２２が前面側（上前面部８１ａ側）に設けられていたが、挿入空間２２１が前面側に設けられ、筒状部２２２が前面側に設けられていてもよい。この場合、第１封止部２０１において、係止凹部２１１が突出部２１０の背面側に設けられ、その前面側から係止凹部２１１に貫通する挿通孔が設けられていればよい。このような構成において、上前面部８１ａの挿通孔２２８と突出部２１０の挿通孔を通して移動空間Ｓ２内の移動部材２０３を係止位置と非係止位置とに移動させることができる。具体的には、挿通孔２２８を通して移動空間Ｓ２の空気をエアポンプＦ２で吸引し、この空気の吸引力によって移動部材２０３を係止位置に移動させ、挿通孔２２８からピン部材Ｆ３を差し込み、その押力によって移動部材２０３を非係止位置に移動させればよい。
【０１４２】
このような本実施形態によれば、以下の作用・効果を奏することができる。
（１７）封止構造２００，２００Ａ，２００Ｂ，２００Ｃ，２００Ｄは、第１封止部２０１と、第２封止部２０２と、移動部材２０３と、を備え、移動部材２０３は、基板ケース１０１および本体ベース８０に対する外部からの直接操作が不能に設けられている。したがって、移動部材２０３を非係止位置に容易に移動させることができないため、不正目的をもった本体ベース８０に対する基板ケース１０１の開封を抑制することができる。
【０１４３】
（１８）移動部材２０３は、間接的な外力である磁石Ｆ１による磁力や、重力、エアポンプＦ２からの空気による圧力、ピン部材Ｆ３による押力によって、係止位置から非係止位置に移動されるので、間接的な外力の付加方法を知っていれば、移動部材２０３を非係止位置に移動させて開封し、基板ケース１０１を本体ベース８０から取り外すことができ、外力の付加方法を知らなければ基板ケース１０１を取り外すことができない。したがって、基板ケース１０１の不正な取り外しを抑制し、基板ケース１０１内部の主基板１０２に対する不正行為を低減させることができる。
【０１４４】
（１９）封止構造２００，２００Ａ，２００Ｂ，２００Ｃ，２００Ｄに加えて基板ケース１０１と本体ベース８０とを封止する封止構造（本体封止部）９０が設けられているので、二重の封止構造によって堅固に基板ケース１０１を封止することができる。さらに、封止構造２００，２００Ａ，２００Ｂ，２００Ｃ，２００Ｄと封止構造９０とが互いに離れた位置に設けられているので、これらの一方を発見してその封止を解除できたとしても、他方の発見や封止解除までに時間を要することとなり、不正目的による基板ケース１０１の開封を諦めさせる可能性を高めることができる。
【０１４５】
（２０）基板ケース１０１や本体ベース８０が透明樹脂材料から形成された場合に、移動部材２０３に対応した位置として本体ベース８０の上前面部８１ａに不透明部が設けられていることで、移動部材２０３が認識できないあるいは認識しにくくすることができる。したがって、移動部材２０３によって基板ケース１０１が本体ベース８０に係止されていることが気づかれにくくなり、基板ケース１０１の不正な取り外しをより一層抑制することができる。
【０１４６】
（２１）係止凹部２１１と筒状部２２２とが連通されて移動空間Ｓ２が形成され、この移動空間Ｓ２の内部を移動部材２０３が直線的に往復移動することで、係止位置と非係止位置との間を移動部材２０３が円滑に移動することができる。また、移動空間Ｓ２を構成する係止凹部２１１および筒状部２２２に不透明な金属製の筒部材を設ければ、移動空間Ｓ２内部の移動部材２０３が外部から視認不能となり、基板ケース１０１の不正な取り外しをさらに抑制することができる。
【０１４７】
（２２）第２、第４変形例の封止構造２００Ｂ，２００Ｄのように、移動部材２０３の係止位置から非係止位置への移動を規制する規制部材２０４を備えて構成されていれば、規制部材２０４によって規制された移動部材２０３が係止位置から非係止位置に容易に移動せず、封止状態を維持して本体ベース８０から基板ケース１０１を取り外せなくすることができる。また、規制部材２０４の切断部２３４を破壊して移動部材２０３の規制を解除してからでなければ、間接的な外力によって移動部材２０３を非係止位置に移動させることができないので、基板ケース１０１の取り外し動作を複雑にすることができる。したがって、不正目的をもって基板ケース１０１を取り外そうとしても、取り外せないかあるいは取り外すまでに長時間を要することから、基板ケース１０１内部の主基板１０２に対する不正行為を一層低減させることができる。
【０１４８】
〔第４実施形態の変形例〕
第４実施形態の封止構造２００，２００Ａ，２００Ｂ，２００Ｃ，２００Ｄでは、基板ケース１０１に封止構造１４０，１５０が設けられていたが、このような基板ケースの封止構造を省略することができる。すなわち、基板ケースの封止構造を省略したとしても、基板ケース１０１が封止構造２００，２００Ａ，２００Ｂ，２００Ｃ，２００Ｄによって本体ベース８０に封印結合されていることで、主制御装置１００に対する不正行為を低減させることができる。
【０１４９】
本実施形態では、封止構造２００，２００Ａ，２００Ｂ，２００Ｃ，２００Ｄと、封止構造（本体封止部）９０と、の二重の封止構造によって基板ケース１０１が本体ベース８０に封止されていたが、封止構造（本体封止部）９０を省略することができる。また、封止構造２００，２００Ａ，２００Ｂ，２００Ｃ，２００Ｄおよび封止構造（本体封止部）９０は、それぞれ本体ベース８０のベース基部８１に対して基板ケース１０１を封印結合するものであったが、これらの封止構造は、ベース基部８１や上延出部８２、中延出部８３などに分散して設けられていてもよい。
【０１５０】
〔各実施形態の変形例〕
なお、本発明は、前記各実施形態に限定されるものではなく、本発明の目的を達成できる範囲での変形、改良等は本発明に含まれるものである。
（１）前記各実施形態では、スロットマシン１０は、筐体１１と前面扉１２とを備え、筐体１１の内部に設けられた本体ベース８０に主制御装置１００およびサブ制御装置６０が取り付けられていた。これに対して、主制御装置１００およびサブ制御装置６０は、前面扉１２の内部に取り付けられていてもよいし、筐体１１および前面扉１２の一方に主制御装置１００が取り付けられ、他方にサブ制御装置６０が取り付けられていてもよい。
【０１５１】
（２）前記各実施形態では、スロットマシン１０は、主制御装置１００およびサブ制御装置６０を備え、スロットマシン１０の主な遊技に関して主制御装置１００が制御を行うものとし、スロットマシン１０の演出等に関してサブ制御装置６０制御を行うものとした。これに対して、サブ制御装置が省略されて、主制御装置がスロットマシンの全ての遊技に関して制御を行うものであってもよい。
（３）前記各実施形態では、主制御装置１００の基板ケース１０１が本体ベース８０に対して封止構造９０によって封印結合され、サブ制御装置６０の基板ケース６１は本体ベース８０に対して封止構造を介さずに取り付けられていた。これに対して、サブ制御装置が本体ベースに対し、封止構造９０と同様の封止構造を介して封印結合されていてもよい。
【０１５２】
（４）前記各実施形態では、主制御装置１００の基板ケース１０１が封止構造１４０，１５０によって封止され、サブ制御装置６０の基板ケース６１は封止構造を備えていなかった。これに対して、サブ制御装置の基板ケースが封止構造１４０，１５０と同様の封止構造によって封止されていてもよい。
（５）前記各実施形態では、主制御装置１００およびサブ制御装置６０からの制御信号が主中継基板７１およびサブ中継基板７２に中継されてスロットマシン１０の各部に分配されていた。これに対して、主制御装置１００やサブ制御装置６０からの制御信号がスロットマシン１０の各部に直接伝送される構成であってもよい。
【０１５３】
（６）前記各実施形態では、封止構造１４０，１５０，２００，２００Ａ，２００Ｂ，２００Ｃ，２００Ｄにおいて、移動部材１４３，１５３，２０３がそれぞれ金属材料からなる円柱状部材で構成されていたが、移動部材の材質や形状は特に限定されない。すなわち、移動部材は、樹脂等の非金属材料から構成されてもよいし、角柱状や環状、球状などの任意形状に形成されていてもよい。
（７）前記各実施形態では、封止構造１４０，１５０，２００，２００Ａ，２００Ｂ，２００Ｃ，２００Ｄにおいて、移動部材１４３，１５３，２０３が係止位置と非係止位置とを直線的に往復移動するものとしたが、移動部材の移動方向や移動経路は特に限定されない。すなわち、移動部材は、円弧状の経路を移動してもよいし、クランク状の経路を移動してもよい。
【０１５４】
（８）前記各実施形態では、封止構造１４０，１５０，２００，２００Ａ，２００Ｂ，２００Ｃ，２００Ｄにおいて、移動部材１４３，１５３，２０３が移動する移動空間Ｓ２は、第１凹部（筒状部１４２ｃ，１５２ｃ，２２２）と、第２凹部（筒状部１４１ｃ，１５１ｃ、係止凹部２１１）と、が連通して形成されていた。これに対して、移動空間は、凹部同士が連通して構成されるものに限らず、例えば、複数の突片や突起が並設されることで構成されていてもよい。
（９）前記各実施形態では、第１凹部（筒状部１４２ｃ，１５２ｃ，２２２）が第２封止部１４２，１５２，２０２に設けられ、第２凹部（筒状部１４１ｃ，１５１ｃ、係止凹部２１１）が第１封止部１４１，１５１，２０１に設けられていたが、第１凹部が第１封止部に設けられ、第２凹部が第２封止部に設けられていてもよい。
【０１５５】
（１０）前記各実施形態では、基板ケース１０１，１０１Ａ，１０１Ｂおよび本体ベース８０が透明樹脂材料から形成され、移動部材１４３，１５３，２０３に対応する位置に不透明部（凹凸面部１４１ｄ，１４２ｅ，１４２ｆ，１５１ｄ，１５２ｅ，１５２ｆ）が形成されていた。これに対して、基板ケースや本体ベースが不透明材料から構成され、不透明部が省略されてもよい。
【０１５６】
（１１）前記各実施形態では、本発明の遊技機としてスロットマシン１０を例示して説明していた。これに対して、本発明の遊技機は、スロットマシン１０とは異なる他のタイプのスロットマシンであってもよい。また、本発明の遊技機は、遊技領域に設けられた一般入賞口や作動口などの各種入賞口を備え、この各種入賞口に遊技球が入球することによって、所定数の遊技球を払い出すパチンコ機であってもよいし、アレンジボール機や、雀球等の他のタイプの遊技機であってもよい。
【０１５７】
〔各実施形態から抽出される発明群〕
以下、前記各実施形態から抽出される発明群の特徴を説明する。なお、本発明群の特徴のうち、前記各実施形態において対応する構成を括弧書きで示すが、本発明群の特徴は、前記各実施形態に限定されるものではなく、本発明群の特徴の目的を達成できる範囲での変形、改良等や、各特徴の組み合わせは本発明群の特徴に含まれるものである。
【０１５８】
＜特徴Ａ群＞
特徴Ａ１．
所定の遊技に関する制御を司る制御基板（主基板１０２）を内部に収容する基板ケース（基板ケース１０１）を備えた遊技機（スロットマシン１０）であって、
前記基板ケースは、
前記制御基板を収容する収容空間を構成する第１ケース体（ベース部材１０４）および第２ケース体（カバー部材１０５）と、
前記第１ケース体と前記第２ケース体とを封止する封止手段（第１封止構造１４０、第２封止構造１５０）と、を備え、
前記封止手段は、
前記第１ケース体に設けられる第１封止部（第１封止部１４１，１５１）と、
前記第２ケース体に設けられる第２封止部（第２封止部１４２，１５２）と、
前記第１封止部と前記第２封止部とに亘って移動自在に設けられる移動部材（移動部材１４３）と、を備え、
前記移動部材は、前記基板ケースに対する外部からの直接操作が不能であるとともに、前記第１封止部と前記第２封止部とに係止する係止位置と、係止が解除される非係止位置と、の間を移動可能に設けられ、
前記移動部材を係止位置に移動させることで前記基板ケースが開封不能となり、前記基板ケースを回転させて生じる遠心力により、前記移動部材を非係止位置に移動させることで前記基板ケースが開封可能となる
ことを特徴とする遊技機。
【０１５９】
本発明群の特徴Ａ１によれば、封止手段は、第１封止部と、第２封止部と、移動部材と、を備え、移動部材は、基板ケースに対する外部からの直接操作が不能に設けられている。したがって、移動部材を非係止位置に容易に移動させることができないため、不正目的をもった基板ケースの開封を抑制することができる。さらに、基板ケースを回転させて生じる遠心力によって、移動部材が係止位置から非係止位置に移動される。このような遠心力の付加方法を知っていれば、移動部材を非係止位置に移動させて基板ケースを開封することができ、遠心力の付加方法を知らなければ基板ケースを開封することができないことから、遊技機の制御基板に対する不正行為を低減させることができる。
【０１６０】
特徴Ａ２．
本発明群の特徴Ａ１に記載された遊技機において、
前記封止手段は、前記基板ケースの回転中心を挟んで互いに反対側に位置する少なくとも一対で構成される
ことを特徴とする遊技機。
【０１６１】
本発明群の特徴Ａ２によれば、基板ケースを回転させた遠心力によって、少なくとも一対（複数）の封止手段における移動部材をそれぞれ非係止位置に移動させることができ、複数の封止手段によって基板ケースの封止力を高めることができる。また、一対の封止手段が基板ケースの回転中心を挟んで互いに反対側に設けられていることで、遠心力によらずに、例えば重力によって移動部材を移動させようとしても、一方の封止手段の移動部材を非係止位置に移動させることはできても、他方の封止手段の移動部材を非係止位置に移動させることはできない。したがって、移動部材を移動させる方法として、基板ケースを所定の回転軸回りに回転させることを知らなければ、基板ケースを開封することができず、不正行為をより確実に低減させることができる。
【０１６２】
特徴Ａ３．
本発明群の特徴Ａ１または特徴Ａ２に記載された遊技機において、
前記基板ケースには、回転中心となる回転中心部（中心突起１２６）が設けられ、
遊技機本体には、前記回転中心部を支持して前記基板ケースを回転させるための回転支持部（支持凹部１２ａ）が設けられている
ことを特徴とする遊技機。
【０１６３】
本発明群の特徴Ａ３によれば、遊技機本体に設けられた回転支持部に回転中心部を支持させ、回転中心部を中心として基板ケースを回転させることで遠心力を発生させ、この遠心力によって移動部材を非係止位置に移動させることができる。したがって、基板ケースを回転させるための支持装置や回転機構を別途準備しなくても、遊技機の設置場所において簡単に基板ケースの開封操作を実施することができる。
【０１６４】
特徴Ａ４．
本発明群の特徴Ａ１から特徴Ａ３のいずれかに記載された遊技機において、
前記第１封止部および前記第２封止部の一方には、前記移動部材を収容可能な第１凹部（筒状部１４２ｃ，１５２ｃ）が設けられ、他方には、前記移動部材を挿入可能な第２凹部（筒状部１４１ｃ，１５１ｃ）が設けられ、
前記第１ケース体および前記第２ケース体が互いに組み合わされた状態において、前記第１凹部と前記第２凹部とが連通されて前記移動部材が往復移動可能な移動空間（移動空間Ｓ２）が形成されるとともに、前記基板ケースの回転中心に近い側に前記第２凹部が位置し、前記回転中心から離れた側に前記第１凹部が位置し、
前記移動部材は、前記第１凹部に収容されるとともに前記第２凹部に挿入されない前記非係止位置と、前記第１凹部および前記第２凹部に跨って挿入される前記係止位置と、の間を移動可能に設けられている
ことを特徴とする遊技機。
【０１６５】
本発明群の特徴Ａ４によれば、第１凹部と第２凹部とが連通されて移動空間が形成され、この移動空間の内部を移動部材が直線的に往復移動することで、係止位置と非係止位置との間を移動部材が円滑に移動することができる。したがって、遠心力によって移動部材を非係止位置に移動させる際に、移動空間の内部で移動部材が引っ掛かって移動不能になる事態が回避でき、基板ケースの開封動作を確実に実施することができる。また、基板ケースの回転中心に近い側に第２凹部が位置し、回転中心から離れた側に第１凹部が位置することで、遠心力によって移動した移動部材が第１凹部に収容され、すなわち移動部材が非係止位置に移動され、基板ケースを開封可能とすることができる。
【０１６６】
特徴Ａ５．
本発明群の特徴Ａ４に記載された遊技機において、
前記第１凹部および前記第２凹部は、それぞれ前記移動部材を挿通させる筒状の第１筒部（筒状部１４２ｃ，１５２ｃ）および第２筒部（筒状部１４１ｃ，１５１ｃ）から構成され、
前記第１筒部による前記第１凹部は、前記移動部材の移動方向の長さ寸法以上の深さを有し、前記第２筒部による前記第２凹部は、前記移動部材の移動方向の長さ寸法の略半分の深さを有して形成されている
ことを特徴とする遊技機。
【０１６７】
本発明群の特徴Ａ５によれば、第１凹部および第２凹部が第１筒部および第２筒部から構成され、これらの筒部同士が連通することで全体筒状の移動空間を形成することができる。また、移動部材の移動方向の長さ寸法に対し、その長さ寸法以上の深さを有して第１凹部が形成されることで、非係止位置において第１凹部に移動部材を収容することができる。一方、移動部材の長さ寸法の略半分の深さを有して第２凹部が形成されることで、第２筒部の側に移動部材が移動した係止位置において、移動部材が略半分ずつの長さだけ第１凹部と第２凹部とに跨って位置することになり、これらを係止して基板ケースを開封不能とすることができる。
【０１６８】
特徴Ａ６．
本発明群の特徴Ａ１から特徴Ａ５のいずれかに記載された遊技機において、
前記封止手段は、
前記第１封止部および前記第２封止部の一方に係合するとともに、前記移動部材の係止位置からの移動を規制する規制部材（規制部材１５４）をさらに備え、
前記規制部材の一部を破壊して係合を解除し、該規制部材を取り外して前記移動部材の規制を解除してから、前記移動部材を非係止位置に移動させることで前記基板ケースが開封可能となる
ことを特徴とする遊技機。
【０１６９】
本発明群の特徴Ａ６によれば、移動部材の係止位置からの移動を規制する規制部材をさらに備えることで、規制部材によって規制された移動部材が係止位置から非係止位置に容易に移動せず、封止状態を維持して基板ケースの開封を防止することができる。また、規制部材の一部を破壊して係合を解除し、規制部材を取り外して移動部材の規制を解除してからでなければ、遠心力によって移動部材を非係止位置に移動させることができないので、基板ケースの開封動作を複雑にすることができる。したがって、不正目的をもって基板ケースを開封しようとしても、開封できないかあるいは開封するまでに長時間を要することから、遊技機の制御基板に対する不正行為を一層低減させることができる。
【０１７０】
特徴Ａ７．
本発明群の特徴Ａ１から特徴Ａ６のいずれかに記載された遊技機において、
前記基板ケースの第１ケース体および第２ケース体は、透明樹脂材料から形成され、
前記第１封止部および前記第２封止部における前記移動部材に対応した位置には不透明部（凹凸面部１４１ｄ，１４２ｅ，１４２ｆ，１５１ｄ，１５２ｅ，１５２ｆ）が設けられている
ことを特徴とする遊技機。
【０１７１】
本発明群の特徴Ａ７によれば、第１ケース体および第２ケース体が透明樹脂材料から形成された場合に、移動部材に対応した位置に不透明部が設けられていることで、基板ケースの外部から移動部材が認識できないあるいは認識しにくくすることができる。したがって、移動部材によって基板ケースが封止されていることが気づかれにくくなり、不正な基板ケースの開封をより一層抑制することができる。
【０１７２】
このような本発明の特徴Ａ群によれば、遊技機の制御基板に対する不正行為を低減させることができるので、次のような課題を解決することができる。
【０１７３】
従来、遊技の制御を行う制御基板を収容する基板ケースを備え、この基板ケースが遊技機本体の内部に取り付けられ、外部から視認や操作ができないように隠ぺいされた遊技機が知られている。基板ケースは、遊技機本体に固定されたベースに対して本体封止機構を介して取り付けられるとともに、ケース自体を封止するためのケース封止機構を備えて構成されている。このような本体封止機構やケース封止機構は、封止機構の所定箇所を破壊しない限り開封できない構造になっている。このため遊技機本体から基板ケースを不正に取り外したり、基板ケースを不正に開封したりすることが困難であるとともに、不正に開封されたことが判別できるようになっている。
【０１７４】
しかしながら、遊技機の基板ケースを封止するケース封止機構は、その所定箇所を破壊すれば開封できることが判別可能であり、不正目的をもって所定箇所を破壊して基板ケースを開封しようとする行為そのものを防止することが実質的に不可能であり、制御基板に対する不正行為を効果的に抑制することが難しいという問題がある。
【０１７５】
＜特徴Ｂ群＞
特徴Ｂ１．
所定の遊技に関する制御を司る制御基板（主基板１０２）を内部に収容する基板ケース（基板ケース１０１）を備えた遊技機（スロットマシン１０）であって、
前記基板ケースは、
前記制御基板を収容する収容空間を構成する第１ケース体（ベース部材１０４）および第２ケース体（カバー部材１０５）と、
前記第１ケース体と前記第２ケース体とを封止する封止手段（第１封止構造１４０、第２封止構造１５０）と、を備え、
前記封止手段は、
前記第１ケース体に設けられる第１封止部（第１封止部１４１，１５１）と、
前記第２ケース体に設けられる第２封止部（第２封止部１４２，１５２）と、
前記第１封止部と前記第２封止部とに亘って移動自在に設けられる移動部材（移動部材１４３，１５３）と、を備え、
前記移動部材は、前記基板ケースに対する外部からの直接操作が不能であるとともに、間接的な外力が加えられることよって、前記第１封止部と前記第２封止部とに係止する係止位置と、係止が解除される非係止位置と、の間を移動可能に設けられ、
前記移動部材を係止位置に移動させることで前記基板ケースが開封不能となり、前記移動部材を非係止位置に移動させることで前記基板ケースが開封可能となる
ことを特徴とする遊技機。
【０１７６】
本発明群の特徴Ｂ１によれば、封止手段は、第１封止部と、第２封止部と、移動部材と、を備え、移動部材は、基板ケースに対する外部からの直接操作が不能に設けられている。したがって、移動部材を非係止位置に容易に移動させることができないため、不正目的をもった基板ケースの開封を抑制することができる。また、移動部材は、間接的な外力によって、係止位置から非係止位置に移動されるか、または非係止位置から係止位置に移動される。このような間接的な外力の付加方法を知っていれば、移動部材を非係止位置に移動させて基板ケースを開封することができ、外力の付加方法を知らなければ基板ケースを開封することができないことから、遊技機の制御基板に対する不正行為を低減させることができる。
【０１７７】
特徴Ｂ２．
本発明群の特徴Ｂ１に記載された遊技機において、
前記封止手段は、
前記第１封止部および前記第２封止部の一方に係合するとともに、前記移動部材の係止位置からの移動を規制する規制部材（規制部材１５４）をさらに備え、
前記規制部材の一部を破壊して係合を解除し、該規制部材を取り外して前記移動部材の規制を解除してから、前記移動部材を非係止位置に移動させることで前記基板ケースが開封可能となる
ことを特徴とする遊技機。
【０１７８】
本発明群の特徴Ｂ２によれば、移動部材の係止位置からの移動を規制する規制部材をさらに備えることで、規制部材によって規制された移動部材が係止位置から非係止位置に容易に移動せず、封止状態を維持して基板ケースの開封を防止することができる。また、規制部材の一部を破壊して係合を解除し、規制部材を取り外して移動部材の規制を解除してからでなければ、間接的な外力によって移動部材を非係止位置に移動させることができないので、基板ケースの開封動作を複雑にすることができる。したがって、不正目的をもって基板ケースを開封しようとしても、開封できないかあるいは開封するまでに長時間を要することから、遊技機の制御基板に対する不正行為を一層低減させることができる。
【０１７９】
特徴Ｂ３．
本発明群の特徴Ｂ１または特徴Ｂ２に記載された遊技機において、
前記第１封止部および前記第２封止部の一方には、前記移動部材を収容可能な第１凹部（筒状部１４２ｃ，１５２ｃ）が設けられ、他方には、前記移動部材を挿入可能な第２凹部（筒状部１４１ｃ，１５１ｃ）が設けられ、前記第１ケース体および前記第２ケース体が互いに組み合わされた状態において、前記第１凹部と前記第２凹部とが連通されて前記移動部材が往復移動可能な移動空間（移動空間Ｓ２）が形成され、
前記移動部材は、前記第１凹部に収容されるとともに前記第２凹部に挿入されない前記非係止位置と、前記第１凹部および前記第２凹部に跨って挿入される前記係止位置と、の間を移動可能に設けられている
ことを特徴とする遊技機。
【０１８０】
本発明群の特徴Ｂ３によれば、第１凹部と第２凹部とが連通されて移動空間が形成され、この移動空間の内部を移動部材が直線的に往復移動することで、係止位置と非係止位置との間を移動部材が円滑に移動することができる。したがって、間接的な外力によって移動部材を非係止位置に移動させる際に、移動空間の内部で移動部材が引っ掛かって移動不能になる事態が回避でき、基板ケースの開封動作を確実に実施することができる。
【０１８１】
特徴Ｂ４．
本発明群の特徴Ｂ３に記載された遊技機において、
前記第１凹部および前記第２凹部は、それぞれ前記移動部材を挿通させる筒状の第１筒部（筒状部１４２ｃ，１５２ｃ）および第２筒部（筒状部１４１ｃ，１５１ｃ）から構成され、
前記第１筒部による前記第１凹部は、前記移動部材の移動方向の長さ寸法以上の深さを有し、前記第２筒部による前記第２凹部は、前記移動部材の移動方向の長さ寸法の略半分の深さを有して形成されている
ことを特徴とする遊技機。
【０１８２】
本発明群の特徴Ｂ４によれば、第１凹部および第２凹部が第１筒部および第２筒部から構成され、これらの筒部同士が連通することで全体筒状の移動空間を形成することができる。また、移動部材の移動方向の長さ寸法に対し、その長さ寸法以上の深さを有して第１凹部が形成されることで、非係止位置において第１凹部に移動部材を収容することができる。一方、移動部材の長さ寸法の略半分の深さを有して第２凹部が形成されることで、第２筒部の側に移動部材が移動した係止位置において、移動部材が略半分ずつの長さだけ第１凹部と第２凹部とに跨って位置することになり、これらを係止して基板ケースを開封不能とすることができる。
【０１８３】
特徴Ｂ５．
本発明群の特徴Ｂ１から特徴Ｂ４のいずれかに記載された遊技機において、
前記間接的な外力は、前記基板ケースを回転させることにより生じる遠心力であり、
前記移動部材は、前記基板ケースの回転中心に近い側にある前記係止位置と、前記基板ケースの回転中心から離れた側にある前記非係止位置と、の間を移動可能に設けられている
ことを特徴とする遊技機。
【０１８４】
本発明群の特徴Ｂ５によれば、基板ケースを回転させて生じる遠心力によって、回転中心から離れた側にある非係止位置に向かって移動部材を移動させることができる。したがって、間接的な外力を発生させる手段として、別部材や動力を準備する必要がなくなり、簡便な構造によって移動部材の移動を実現することができる。
【０１８５】
特徴Ｂ６．
本発明群の特徴Ｂ１から特徴Ｂ４のいずれかに記載された遊技機において、
前記移動部材に加えられる間接的な外力は、
前記基板ケースを所定の向きに傾けることにより作用する重力、
前記基板ケースの外部から接近させた磁石（磁石Ｆ１）から作用する磁力、
前記基板ケースに設けられた挿通孔（挿通孔１２７）を通して送られる流体により作用する圧力、
または、
前記基板ケースに設けられた挿通孔（挿通孔１２８）に挿入される針状部材（ピン部材Ｆ３）から作用する押力である
ことを特徴とする遊技機。
【０１８６】
本発明群の特徴Ｂ６によれば、移動部材に加えられる間接的な外力は、重力、磁力、圧力または押力である。間接的な外力が重力である場合、移動部材を非係止位置に向かって移動させるためには、基板ケースを所定の向きに傾けることが要求され、傾ける向きが正しくないと移動部材を移動させることができない。間接的な外力が磁力である場合、磁石を準備しなければ移動部材を移動させることができない。間接的な外力が流体の圧力である場合、挿通孔から流体を送り込む装置を準備しなければ移動部材を移動させることができない。間接的な外力が針状部材からの押力である場合、針状部材を準備しなければ移動部材を移動させることができない。したがって、重力、磁力、圧力または押力による移動部材の移動方法を知らなければ、容易に基板ケースを開封することができず、遊技機の制御基板に対する不正行為を低減させることができる。
【０１８７】
特徴Ｂ７．
本発明群の特徴Ｂ１から特徴Ｂ６のいずれかに記載された遊技機において、
前記基板ケースの第１ケース体および第２ケース体は、透明樹脂材料から形成され、
前記第１封止部および前記第２封止部における前記移動部材に対応した位置には不透明部（凹凸面部１４１ｄ，１４２ｅ，１４２ｆ，１５１ｄ，１５２ｅ，１５２ｆ）が設けられている
ことを特徴とする遊技機。
【０１８８】
本発明群の特徴Ｂ７によれば、第１ケース体および第２ケース体が透明樹脂材料から形成された場合に、移動部材に対応した位置に不透明部が設けられていることで、基板ケースの外部から移動部材が認識できないあるいは認識しにくくすることができる。したがって、移動部材によって基板ケースが封止されていることが気づかれにくくなり、不正な基板ケースの開封をより一層抑制することができる。
【０１８９】
このような本発明の特徴Ｂ群によれば、遊技機の制御基板に対する不正行為を低減させることができるので、次のような課題を解決することができる。
【０１９０】
従来、遊技の制御を行う制御基板を収容する基板ケースを備え、この基板ケースが遊技機本体の内部に取り付けられ、外部から視認や操作ができないように隠ぺいされた遊技機が知られている。基板ケースは、遊技機本体に固定されたベースに対して本体封止機構を介して取り付けられるとともに、ケース自体を封止するためのケース封止機構を備えて構成されている。このような本体封止機構やケース封止機構は、封止機構の所定箇所を破壊しない限り開封できない構造になっている。このため遊技機本体から基板ケースを不正に取り外したり、基板ケースを不正に開封したりすることが困難であるとともに、不正に開封されたことが判別できるようになっている。
【０１９１】
しかしながら、遊技機の基板ケースを封止するケース封止機構は、その所定箇所を破壊すれば開封できることが判別可能であり、不正目的をもって所定箇所を破壊して基板ケースを開封しようとする行為そのものを防止することが実質的に不可能であり、制御基板に対する不正行為を効果的に抑制することが難しいという問題がある。
【０１９２】
＜特徴Ｃ群＞
特徴Ｃ１．
所定の遊技に関する制御を司る制御基板（主基板１０２）を内部に収容する基板ケース（基板ケース１０１Ａ）と、遊技機本体（筐体１１）に前記基板ケースを保持するための本体ベース（本体ベース８０）と、を備えた遊技機（スロットマシン１０）であって、
前記基板ケースは、前記制御基板を収容する収容空間を構成する第１ケース体（ベース部材１０４）および第２ケース体（カバー部材１０５）を備え、
前記第１ケース体または前記基板ケースのいずれかである第１部材と、前記第２ケース体または前記本体ベースのいずれかである第２部材と、を封止する封止手段（第２封止構造１５０）を備え、
前記封止手段は、
前記第１部材に設けられる第１封止部（第１封止部１５１）と、
前記第２部材に設けられる第２封止部（第２封止部１５２）と、
前記第１封止部と前記第２封止部とを係止する係止位置と係止が解除される非係止位置とに亘って移動自在に設けられる移動部材（移動部材１５３）と、
前記第１封止部および前記第２封止部の一方に係合するとともに、前記移動部材の係止位置からの移動を規制する規制部材（規制部材１５４）と、を備え、
前記規制部材の一部を破壊して係合を解除してから、前記移動部材を非係止位置に移動させることで前記基板ケースが開封可能となる
ことを特徴とする遊技機。
【０１９３】
本発明群の特徴Ｃ１によれば、封止手段は、第１封止部と、第２封止部と、移動部材と、規制部材と、を備え、規制部材によって規制された移動部材が係止位置から非係止位置に容易に移動せず、封止状態を維持して第１部材と第２部材との開封を防止することができる。すなわち、規制部材の一部を破壊して係合を解除し、移動部材の規制を解除してからでなければ、移動部材を非係止位置に移動させることができない。したがって、第１部材と第２部材とを開封するためには、規制部材の係合を解除する第１ステップと、移動部材を非係止位置に移動させる第２ステップと、の２ステップの開封動作が必要となる。このように基板ケースの開封動作を複雑にすることができるので、遊技機の制御基板に対する不正行為を低減させることができる。
【０１９４】
特徴Ｃ２．
本発明群の特徴Ｃ１に記載された遊技機において、
前記規制部材は、
前記第１部材の外部側に位置する規制部材本体（規制部材本体１５４ａ）と、
前記規制部材本体から延びて前記第１封止部の内側に係合する係合片部（係合片部１５４ｃ）と、
前記規制部材本体から延びて前記第２封止部の内側まで延びる延出片部（延出片部１５４ｂ）と、を備え、
前記第１封止部には、前記係合片部および前記延出片部を貫通させる貫通孔（貫通孔１５５）と、該貫通孔の内側で前記係合片部が係合する被係合部（被係合部１５６）と、が形成され、
前記第２封止部の内部には、前記延出片部の先端部を挿入させる挿入凹部（挿入凹部１５７）が形成され、  前記挿入凹部に挿入された前記延出片部が当接することによって前記移動部材の移動が規制される
ことを特徴とする遊技機。
【０１９５】
本発明群の特徴Ｃ２によれば、規制部材が規制部材本体と係合片部と延出片部とを備え、第１封止部に貫通孔と被係合部とが形成され、第２封止部の内部に挿入凹部が形成されているので、第１部材の外部側から内方に向かって押し込むことによって規制部材を係合させることができる。また、第１封止部に係合片部が係合するとともに、挿入凹部に延出片部の先端部が挿入されることで、延出片部によって移動部材の移動が規制される。したがって、規制部材の押し込み操作によって、移動部材の移動を規制して第１部材と第２部材とを封止することができる。
【０１９６】
特徴Ｃ３．
本発明群の特徴Ｃ２に記載された遊技機において、
前記規制部材の前記延出片部の先端部には、傾斜面部（傾斜面部１５４ｅ）が形成され、
前記挿入凹部への前記延出片部の挿入に伴って、前記傾斜面部が前記移動部材に摺接して該移動部材を前記非係止位置から前記係止位置に向かって移動させる
ことを特徴とする遊技機。
【０１９７】
本発明群の特徴Ｃ３によれば、延出片部の先端部に傾斜面部が形成され、傾斜面部が摺接して移動部材を係止位置に向かって移動させることで、規制部材の押し込み操作と同時に移動部材による封止を実行することができる。したがって、第１部材と第２部材とを封止する際には、移動部材を係止位置に向かって移動させてから規制部材を係合させるような二段階の封止動作が必要なく、移動部材が非係止位置にある状態から規制部材の押し込み操作だけで、第１部材と第２部材との封止を完了することができる。
【０１９８】
特徴Ｃ４．
本発明群の特徴Ｃ２または特徴Ｃ３に記載された遊技機において、
前記規制部材の前記第１部材への押し込み方向と、前記移動部材の移動方向と、が互いに交差して設けられている
ことを特徴とする遊技機。
【０１９９】
本発明群の特徴Ｃ４によれば、規制部材の押し込み方向と移動部材の移動方向とが交差していることで、係合片部と第１封止部との係合を解除しようとする無理な力によって規制部材を不正に取り外そうとしても、その無理な力が規制部材を介して移動部材を移動させることがない。したがって、無理な力によって規制部材が取り外されたとしても、移動部材が係止位置に残ることで、第１部材と第２部材との封止状態を維持することができる。
【０２００】
特徴Ｃ５．
本発明群の特徴Ｃ１から特徴Ｃ４のいずれかに記載された遊技機において、
前記移動部材は、前記第１部材および前記第２部材に対する外部からの直接操作が不能であるとともに、間接的な外力が加えられることよって、前記係止位置から前記非係止位置に向かって移動可能に設けられる
ことを特徴とする遊技機。
【０２０１】
本発明群の特徴Ｃ５によれば、移動部材は、第１部材および第２部材に対する外部からの直接操作が不能に設けられるとともに、間接的な外力によって係止位置から非係止位置に移動可能とされている。したがって、規制部材の係合を解除できたとしても、間接的な外力の付加方法を知らなければ移動部材を非係止位置に容易に移動させることができないため、不正目的をもった第１部材と第２部材との開封をより確実に抑制することができる。
【０２０２】
特徴Ｃ６．
本発明群の特徴Ｃ５に記載された遊技機において、
前記間接的な外力は、前記第１部材および前記第２部材を回転させることにより生じる遠心力であり、
前記移動部材は、前記第１部材および前記第２部材の回転中心に近い側にある前記係止位置と、前記第１部材および前記第２部材の回転中心から離れた側にある前記非係止位置と、の間を移動可能に設けられている
ことを特徴とする遊技機。
【０２０３】
本発明群の特徴Ｃ６によれば、第１部材および第２部材を回転させて生じる遠心力によって、回転中心から離れた側にある非係止位置に向かって移動部材を移動させることができる。したがって、間接的な外力を発生させる手段として、別部材や動力を準備する必要がなくなり、簡便な構造によって移動部材の移動を実現することができる。
【０２０４】
特徴Ｃ７．
本発明群の特徴Ｃ５に記載された遊技機において、
前記移動部材に加えられる間接的な外力は、
前記第１部材および前記第２部材を所定の向きに傾けることにより作用する重力、
前記第１部材および前記第２部材の外部から接近させた磁石（磁石Ｆ１）から作用する磁力、
前記第１部材および前記第２部材の一方に設けられた挿通孔（挿通孔１２７）を通して送られる流体により作用する圧力、
または、
前記第１部材および前記第２部材の一方に設けられた挿通孔（挿通孔１２８）に挿入される針状部材（ピン部材Ｆ３）から作用する押力である
ことを特徴とする遊技機。
【０２０５】
本発明群の特徴Ｃ７によれば、移動部材に加えられる間接的な外力は、重力、磁力、圧力または押力である。間接的な外力が重力である場合、移動部材を非係止位置に向かって移動させるためには、第１部材および第２部材を所定の向きに傾けることが要求され、傾ける向きが正しくないと移動部材を移動させることができない。間接的な外力が磁力である場合、磁石を準備しなければ移動部材を移動させることができない。間接的な外力が流体の圧力である場合、挿通孔から流体を送り込む装置を準備しなければ移動部材を移動させることができない。間接的な外力が針状部材からの押力である場合、針状部材を準備しなければ移動部材を移動させることができない。したがって、重力、磁力、圧力または押力による移動部材の移動方法を知らなければ、容易に第１部材と第２部材とを開封することができず、遊技機の制御基板に対する不正行為を低減させることができる。
【０２０６】
このような本発明の特徴Ｃ群によれば、遊技機の制御基板に対する不正行為を低減させることができるので、次のような課題を解決することができる。
【０２０７】
従来、遊技の制御を行う制御基板を収容する基板ケースを備え、この基板ケースが遊技機本体の内部に取り付けられ、外部から視認や操作ができないように隠ぺいされた遊技機が知られている。基板ケースは、遊技機本体に固定されたベースに対して本体封止機構を介して取り付けられるとともに、ケース自体を封止するためのケース封止機構を備えて構成されている。このような本体封止機構やケース封止機構は、封止機構の所定箇所を破壊しない限り開封できない構造になっている。このため遊技機本体から基板ケースを不正に取り外したり、基板ケースを不正に開封したりすることが困難であるとともに、不正に開封されたことが判別できるようになっている。
【０２０８】
しかしながら、遊技機の基板ケースを封止するケース封止機構は、その所定箇所を破壊すれば開封できることが判別可能であり、不正目的をもって所定箇所を破壊して基板ケースを開封しようとする行為そのものを防止することが実質的に不可能であり、制御基板に対する不正行為を効果的に抑制することが難しいという問題がある。
【０２０９】
＜特徴Ｄ群＞
特徴Ｄ１．
所定の遊技に関する制御を司る制御基板（主基板１０２）を内部に収容する基板ケース（基板ケース１０１Ｂ）を備えた遊技機（スロットマシン１０）であって、
前記基板ケースは、
前記制御基板を収容する収容空間を構成する第１ケース体（ベース部材１０４）および第２ケース体（カバー部材１０５）と、
前記第１ケース体と前記第２ケース体とを封止する第１封止手段（第１封止構造１４０）および第２封止手段（ケースかしめ構造１６０）と、を備え、
前記第１封止手段は、
前記第１ケース体と前記第２ケース体とを係止する係止位置と係止が解除される非係止位置とに亘って移動自在に設けられる移動部材（移動部材１４３）を備え、
前記第２封止手段は、
前記第１ケース体および前記第２ケース体に係合することで封止する封止部材（封印キャップ１６３）を備え、
前記第１ケース体、前記第２ケース体および前記封止部材の少なくとも一部を破壊して係合を解除することで該第２封止手段の封止が解除される
ことを特徴とする遊技機。
【０２１０】
本発明群の特徴Ｄ１によれば、封止手段は、第１封止手段および第２封止手段を備え、第１封止手段は、第１ケース体と第２ケース体とを係止する係止位置と係止が解除される非係止位置とに亘って移動自在な移動部材を備え、第２封止手段は、第１ケース体および第２ケース体に係合する封止部材を備える。そして、移動部材を非係止位置に移動させることで第１封止手段の封止が解除され、第１ケース体、第２ケース体および封止部材の一部を破壊して係合を解除することで第２封止手段の封止が解除される。このように、第１封止手段および第２封止手段という互いに異なる二種類の封止構造を備えたことで、不正目的をもって基板ケースを開封しようとしても、開封できないかまたは開封するまでに長時間を要する。したがって、基板ケースの開封動作を複雑にして容易に開封できないようにすることで、遊技機の制御基板に対する不正行為を低減させることができる。
【０２１１】
特徴Ｄ２．
本発明群の特徴Ｄ１に記載された遊技機において、
前記第１封止手段と前記第２封止手段とは、前記基板ケースにおける互いに離れた位置に設けられている
ことを特徴とする遊技機。
【０２１２】
本発明群の特徴Ｄ２によれば、第１封止手段と第２封止手段とが互いに離れた位置に設けられているので、一方の封止手段を発見してその封止を解除できたとしても、他方の封止手段の発見や封止解除までに時間を要することとなり、不正目的による基板ケースの開封を諦めさせる可能性を高めることができる。
【０２１３】
特徴Ｄ３．
本発明群の特徴Ｄ１または特徴Ｄ２に記載された遊技機において、
前記第１封止手段は、前記第１ケース体に設けられる第１封止部（第１封止部１４１）と、前記第２ケース体に設けられる第２封止部（第２封止部１４２）と、を備え、前記第１封止部および前記第２封止部の一方には、前記移動部材を収容可能な第１凹部（筒状部１４２ｃ）が設けられ、他方には、前記移動部材を挿入可能な第２凹部（筒状部１４１ｃ）が設けられ、前記第１ケース体および前記第２ケース体が互いに組み合わされた状態において、前記第１凹部と前記第２凹部とが連通されて前記移動部材が往復移動可能な移動空間（移動空間Ｓ２）が形成され、
前記移動部材は、前記第１凹部に収容されるとともに前記第２凹部に挿入されない前記非係止位置と、前記第１凹部および前記第２凹部に跨って挿入される前記係止位置と、の間を移動可能に設けられている
ことを特徴とする遊技機。
【０２１４】
本発明群の特徴Ｄ３によれば、第１凹部と第２凹部とが連通されて移動空間が形成され、この移動空間の内部を移動部材が直線的に往復移動することで、係止位置と非係止位置との間を移動部材が円滑に移動することができる。したがって、移動部材を非係止位置に移動させる際に、移動空間の内部で移動部材が引っ掛かって移動不能になる事態が回避でき、基板ケースの開封動作を確実に実施することができる。
【０２１５】
特徴Ｄ４．
本発明群の特徴Ｄ３に記載された遊技機において、
前記第１凹部および前記第２凹部は、それぞれ前記移動部材を挿通させる筒状の第１筒部（筒状部１４１ｃ）および第２筒部（筒状部１４１ｃ）から構成され、
前記第１筒部による前記第１凹部は、前記移動部材の移動方向の長さ寸法以上の深さを有し、前記第２筒部による前記第２凹部は、前記移動部材の移動方向の長さ寸法の略半分の深さを有して形成されている
ことを特徴とする遊技機。
【０２１６】
本発明群の特徴Ｄ４によれば、第１凹部および第２凹部が第１筒部および第２筒部から構成され、これらの筒部同士が連通することで全体筒状の移動空間を形成することができる。また、移動部材の移動方向の長さ寸法に対し、その長さ寸法以上の深さを有して第１凹部が形成されることで、非係止位置において第１凹部に移動部材を収容することができる。一方、移動部材の長さ寸法の略半分の深さを有して第２凹部が形成されることで、第２筒部の側に移動部材が移動した係止位置において、移動部材が略半分ずつの長さだけ第１凹部と第２凹部とに跨って位置することになり、これらを係止して基板ケースを開封不能とすることができる。また、第１筒部および第２筒部を不透明な部材とすることで、移動部材が認識できなくすることができ、基板ケースの不正な開封をさらに抑制することができる。
【０２１７】
特徴Ｄ５．
本発明群の特徴Ｄ１から特徴Ｄ４のいずれかに記載された遊技機において、
前記基板ケースの第１ケース体および第２ケース体は、透明樹脂材料から形成され、
前記第１封止手段における前記移動部材に対応した位置には不透明部（凹凸面部１４１ｄ，１４２ｅ，１４２ｆ）が設けられている
ことを特徴とする遊技機。
【０２１８】
本発明群の特徴Ｄ５によれば、第１ケース体および第２ケース体が透明樹脂材料から形成された場合に、移動部材に対応した位置に不透明部が設けられていることで、基板ケースの外部から移動部材が認識できないあるいは認識しにくくすることができる。したがって、移動部材によって基板ケースが封止されている第１封止手段の存在が気づかれにくくなり、基板ケースの不正な開封をより一層抑制することができる。
【０２１９】
特徴Ｄ６．
本発明群の特徴Ｄ１から特徴Ｄ５のいずれかに記載された遊技機において、
前記移動部材は、前記基板ケースに対する外部からの直接操作が不能であるとともに、間接的な外力が加えられることよって、前記係止位置から前記非係止位置に向かって移動可能に設けられる
ことを特徴とする遊技機。
【０２２０】
本発明群の特徴Ｄ６によれば、移動部材は、基板ケースに対する外部からの直接操作が不能に設けられるとともに、間接的な外力によって係止位置から非係止位置に移動可能とされている。したがって、第２封止手段の封止を解除できたとしても、第１封止手段の移動部材に対する間接的な外力の付加方法を知らなければ、移動部材を非係止位置に容易に移動させることができないため、不正目的をもった基板ケースの開封をより確実に抑制することができる。
【０２２１】
特徴Ｄ７．
本発明群の特徴Ｄ６に記載された遊技機において、
前記間接的な外力は、前記基板ケースを回転させることにより生じる遠心力であり、
前記移動部材は、前記基板ケースの回転中心に近い側にある前記係止位置と、前記基板ケースの回転中心から離れた側にある前記非係止位置と、の間を移動可能に設けられている
ことを特徴とする遊技機。
【０２２２】
本発明群の特徴Ｄ７によれば、基板ケースを回転させて生じる遠心力によって、回転中心から離れた側にある非係止位置に向かって移動部材を移動させることができる。したがって、間接的な外力を発生させる手段として、別部材や動力を準備する必要がなくなり、簡便な構造によって移動部材の移動を実現することができる。
【０２２３】
特徴Ｄ８．
本発明群の特徴Ｄ６に記載された遊技機において、
前記移動部材に加えられる間接的な外力は、
前記基板ケースを所定の向きに傾けることにより作用する重力、
前記基板ケースの外部から接近させた磁石（磁石Ｆ１）から作用する磁力、
前記基板ケースに設けられた挿通孔（挿通孔１２７）を通して送られる流体により作用する圧力、
または、
前記基板ケースに設けられた挿通孔（挿通孔１２８）に挿入される針状部材（ピン部材Ｆ３）から作用する押力である
ことを特徴とする遊技機。
【０２２４】
本発明群の特徴Ｄ８によれば、移動部材に加えられる間接的な外力は、重力、磁力、圧力または押力である。間接的な外力が重力である場合、移動部材を非係止位置に向かって移動させるためには、基板ケースを所定の向きに傾けることが要求され、傾ける向きが正しくないと移動部材を移動させることができない。間接的な外力が磁力である場合、磁石を準備しなければ移動部材を移動させることができない。間接的な外力が流体の圧力である場合、挿通孔から流体を送り込む装置を準備しなければ移動部材を移動させることができない。間接的な外力が針状部材からの押力である場合、針状部材を準備しなければ移動部材を移動させることができない。したがって、重力、磁力、圧力または押力による移動部材の移動方法を知らなければ、容易に基板ケースを開封することができず、遊技機の制御基板に対する不正行為を低減させることができる。
【０２２５】
このような本発明の特徴Ｄ群によれば、遊技機の制御基板に対する不正行為を低減させることができるので、次のような課題を解決することができる。
【０２２６】
従来、遊技の制御を行う制御基板を収容する基板ケースを備え、この基板ケースが遊技機本体の内部に取り付けられ、外部から視認や操作ができないように隠ぺいされた遊技機が知られている。基板ケースは、遊技機本体に固定されたベースに対して本体封止機構を介して取り付けられるとともに、ケース自体を封止するためのケース封止機構を備えて構成されている。このような本体封止機構やケース封止機構は、封止機構の所定箇所を破壊しない限り開封できない構造になっている。このため遊技機本体から基板ケースを不正に取り外したり、基板ケースを不正に開封したりすることが困難であるとともに、不正に開封されたことが判別できるようになっている。
【０２２７】
しかしながら、遊技機の基板ケースを封止するケース封止機構は、その所定箇所を破壊すれば開封できることが判別可能であり、不正目的をもって所定箇所を破壊して基板ケースを開封しようとする行為そのものを防止することが実質的に不可能であり、制御基板に対する不正行為を効果的に抑制することが難しいという問題がある。
【０２２８】
＜特徴Ｅ群＞
特徴Ｅ１．
所定の遊技に関する制御を司る制御基板（主基板１０２）を内部に収容する基板ケース（基板ケース１０１）を備えた遊技機（スロットマシン１０）であって、
前記基板ケースは、
前記制御基板を収容する収容空間を構成する透明樹脂材料から形成された第１ケース体（ベース部材１０４）および第２ケース体（カバー部材１０５）と、
前記第１ケース体と前記第２ケース体とを封止する封止手段（第１封止構造１４０、第２封止構造１５０）と、を備え、
前記封止手段は、
前記第１ケース体に設けられる第１封止部（第１封止部１４１，１５１）と、
前記第２ケース体に設けられる第２封止部（第２封止部１４２，１５２）と、
前記第１封止部と前記第２封止部とを係止する係止位置と係止が解除される非係止位置とに亘って移動自在に設けられる移動部材（移動部材１４３，１５３）と、を備え、
前記第１封止部および前記第２封止部における前記移動部材に対応した位置には不透明部（凹凸面部１４１ｄ，１４２ｅ，１４２ｆ，１５１ｄ，１５２ｅ，１５２ｆ）が設けられている
ことを特徴とする遊技機。
【０２２９】
本発明群の特徴Ｅ１によれば、封止手段は、第１封止部と第２封止部とを係止する係止位置と、係止が解除される非係止位置と、に亘って移動自在な移動部材を備え、移動部材を係止位置に移動させることで基板ケースが封止され、移動部材を非係止位置に移動させることで封止が解除される。そして、第１ケース体および第２ケース体が透明樹脂材料から形成され、移動部材に対応した位置に不透明部が設けられていることで、基板ケースの外部から移動部材が認識できないあるいは認識しにくくすることができる。したがって、移動部材によって基板ケースが封止されていることが気づかれにくくなり、基板ケースの不正な開封を抑制することができ、遊技機の制御基板に対する不正行為を低減させることができる。
【０２３０】
特徴Ｅ２．
本発明群の特徴Ｅ１に記載された遊技機において、
前記移動部材は、前記基板ケースに対する外部からの直接操作が不能であるとともに、間接的な外力が加えられることよって、前記係止位置から前記非係止位置に向かって移動可能に設けられている
ことを特徴とする遊技機。
【０２３１】
本発明群の特徴Ｅ２によれば、移動部材は、基板ケースに対する外部からの直接操作が不能に設けられているので、移動部材を非係止位置に容易に移動させることができないため、不正目的をもった基板ケースの開封を抑制することができる。また、移動部材は、間接的な外力によって、係止位置から非係止位置に移動されるので、間接的な外力の付加方法を知っていれば、移動部材を非係止位置に移動させて基板ケースを開封することができるが、外力の付加方法を知らなければ基板ケースを開封することができない。したがって、基板ケースが容易に開封できなくすることで、遊技機の制御基板に対する不正行為をさらに低減させることができる。
【０２３２】
特徴Ｅ３．
本発明群の特徴Ｅ２に記載された遊技機において、
前記間接的な外力は、前記基板ケースを回転させることにより生じる遠心力であり、
前記移動部材は、前記基板ケースの回転中心に近い側にある前記係止位置と、前記基板ケースの回転中心から離れた側にある前記非係止位置と、の間を移動可能に設けられている
ことを特徴とする遊技機。
【０２３３】
本発明群の特徴Ｅ３によれば、基板ケースを回転させて生じる遠心力によって、回転中心から離れた側にある非係止位置に向かって移動部材を移動させることができる。したがって、間接的な外力を発生させる手段として、別部材や動力を準備する必要がなくなり、簡便な構造によって移動部材の移動を実現することができる。
【０２３４】
特徴Ｅ４．
本発明群の特徴Ｅ２に記載された遊技機において、
前記移動部材に加えられる間接的な外力は、
前記基板ケースを所定の向きに傾けることにより作用する重力、
前記基板ケースの外部から接近させた磁石（磁石Ｆ１）から作用する磁力、
前記基板ケースに設けられた挿通孔（挿通孔１２７）を通して送られる流体により作用する圧力、
または、
前記基板ケースに設けられた挿通孔（挿通孔１２８）に挿入される針状部材（ピン部材Ｆ３）から作用する押力である
ことを特徴とする遊技機。
【０２３５】
本発明群の特徴Ｅ４によれば、移動部材に加えられる間接的な外力は、重力、磁力、圧力または押力である。間接的な外力が重力である場合、移動部材を非係止位置に向かって移動させるためには、基板ケースを所定の向きに傾けることが要求され、傾ける向きが正しくないと移動部材を移動させることができない。間接的な外力が磁力である場合、磁石を準備しなければ移動部材を移動させることができない。間接的な外力が流体の圧力である場合、挿通孔から流体を送り込む装置を準備しなければ移動部材を移動させることができない。間接的な外力が針状部材からの押力である場合、針状部材を準備しなければ移動部材を移動させることができない。したがって、重力、磁力、圧力または押力による移動部材の移動方法を知らなければ、容易に基板ケースを開封することができず、遊技機の制御基板に対する不正行為を低減させることができる。
【０２３６】
特徴Ｅ５．
本発明群の特徴Ｅ１から特徴Ｅ４のいずれかに記載された遊技機において、
前記第１封止部には、前記移動部材を収容可能な第１筒部（筒状部１４２ｃ，１５２ｃ）が設けられ、前記第２封止部には、前記移動部材を挿入可能な第２筒部（筒状部１４１ｃ，１５１ｃ）が設けられ、前記第１ケース体および前記第２ケース体が互いに組み合わされた状態において、前記第１筒部と前記第２筒部とが連通されて前記移動部材が往復移動可能な移動空間（移動空間Ｓ２）が形成され、
前記第１筒部は、前記移動部材の移動方向の長さ寸法以上の深さを有し、前記第２筒部は、前記移動部材の移動方向の長さ寸法の略半分の深さを有して形成され、
前記移動部材は、前記第１筒部に収容されるとともに前記第２筒部に挿入されない前記非係止位置と、前記第１筒部および前記第２筒部に跨って挿入される前記係止位置と、の間を移動可能に設けられている
ことを特徴とする遊技機。
【０２３７】
本発明群の特徴Ｅ５によれば、第１筒部と第２筒部とが連通されて移動空間が形成され、この移動空間の内部を移動部材が直線的に往復移動することで、係止位置と非係止位置との間を移動部材が円滑に移動することができる。また、移動部材の移動方向の長さ寸法に対し、その長さ寸法以上の深さを有して第１筒部が形成されることで、非係止位置において第１筒部の内部に移動部材を収容することができる。一方、移動部材の長さ寸法の略半分の深さを有して第２筒部が形成されることで、第２筒部の側に移動部材が移動した係止位置において、移動部材が略半分ずつの長さだけ第１筒部と第２筒部とに跨って位置することになり、これらを係止して基板ケースを開封不能とすることができる。また、第１筒部および第２筒部を不透明な部材とすることで、移動部材が認識できなくすることができ、基板ケースの不正な開封をさらに抑制することができる。
【０２３８】
このような本発明の特徴Ｅ群によれば、遊技機の制御基板に対する不正行為を低減させることができるので、次のような課題を解決することができる。
【０２３９】
従来、遊技の制御を行う制御基板を収容する基板ケースを備え、この基板ケースが遊技機本体の内部に取り付けられ、外部から視認や操作ができないように隠ぺいされた遊技機が知られている。基板ケースは、遊技機本体に固定されたベースに対して本体封止機構を介して取り付けられるとともに、ケース自体を封止するためのケース封止機構を備えて構成されている。このような本体封止機構やケース封止機構は、封止機構の所定箇所を破壊しない限り開封できない構造になっている。このため遊技機本体から基板ケースを不正に取り外したり、基板ケースを不正に開封したりすることが困難であるとともに、不正に開封されたことが判別できるようになっている。
【０２４０】
しかしながら、遊技機の基板ケースを封止するケース封止機構は、その所定箇所を破壊すれば開封できることが判別可能であり、不正目的をもって所定箇所を破壊して基板ケースを開封しようとする行為そのものを防止することが実質的に不可能であり、制御基板に対する不正行為を効果的に抑制することが難しいという問題がある。
【０２４１】
＜特徴Ｆ群＞
特徴Ｆ１．
所定の遊技に関する制御を司る制御基板（主基板１０２）を内部に収容する基板ケース（基板ケース１０１）と、遊技機本体に前記基板ケースを保持するための本体ベース（本体ベース８０）と、を備えた遊技機（スロットマシン１０）であって、
前記本体ベースに前記基板ケースを保持して封止する封止手段（封止構造２００）を備え、
前記封止手段は、
前記基板ケースに設けられる第１封止部（第１封止部２０１）と、
前記本体ベースに設けられる第２封止部（第２封止部２０２）と、
前記第１封止部と前記第２封止部とに亘って移動自在に設けられる移動部材（移動部材２０３）と、を備え、
前記移動部材は、前記基板ケースおよび前記本体ベースに対する外部からの直接操作が不能であるとともに、間接的な外力が加えられることよって、前記第１封止部と前記第２封止部とを係止する係止位置と、係止が解除される非係止位置と、の間を移動可能に設けられ、
前記移動部材を係止位置に移動させることで前記本体ベースに対して前記基板ケースが封止状態で保持され、前記移動部材を非係止位置に移動させることで前記本体ベースに対する前記基板ケースの封止が解除される
ことを特徴とする遊技機。
【０２４２】
本発明群の特徴Ｆ１によれば、封止手段は、第１封止部と、第２封止部と、移動部材と、を備え、移動部材は、基板ケースおよび本体ベースに対する外部からの直接操作が不能に設けられている。したがって、移動部材を非係止位置に容易に移動させることができないため、不正目的をもった本体ベースに対する基板ケースの開封を抑制することができる。また、移動部材は、間接的な外力によって、係止位置から非係止位置に移動されるか、または非係止位置から係止位置に移動される。このような間接的な外力の付加方法を知っていれば、移動部材を非係止位置に移動させて開封し、基板ケースを本体ベースから取り外すことができ、外力の付加方法を知らなければ基板ケースを取り外すことができない。したがって、基板ケースの不正な取り外しを抑制し、基板ケース内部の制御基板に対する不正行為を低減させることができる。
【０２４３】
特徴Ｆ２．
本発明群の特徴Ｆ１に記載された遊技機において、
前記封止手段は、
前記第１封止部および前記第２封止部の一方に係合するとともに、前記移動部材の係止位置からの移動を規制する規制部材（規制部材２０４）をさらに備え、
前記規制部材の一部を破壊して係合を解除し、該規制部材を取り外して前記移動部材の規制を解除してから、前記移動部材を非係止位置に移動させることで前記本体ベースに対する前記基板ケースの封止が解除される
ことを特徴とする遊技機。
【０２４４】
本発明群の特徴Ｆ２によれば、移動部材の係止位置からの移動を規制する規制部材をさらに備えることで、規制部材によって規制された移動部材が係止位置から非係止位置に容易に移動せず、封止状態を維持して本体ベースから基板ケースを取り外せなくすることができる。また、規制部材の一部を破壊して係合を解除し、規制部材を取り外して移動部材の規制を解除してからでなければ、間接的な外力によって移動部材を非係止位置に移動させることができないので、基板ケースの取り外し動作を複雑にすることができる。したがって、不正目的をもって基板ケースを取り外そうとしても、取り外せないかあるいは取り外すまでに長時間を要することから、基板ケース内部の制御基板に対する不正行為を一層低減させることができる。
【０２４５】
特徴Ｆ３．
本発明群の特徴Ｆ１または特徴Ｆ２に記載された遊技機において、
前記基板ケースと前記本体ベースとに係合することで該基板ケースを取り外し不能とする本体封止部（封止構造９０）をさらに備え、
前記本体封止部は、前記封止手段から離れた位置に設けられるとともに、該本体封止部の一部を破壊して係合を解除することで前記基板ケースが取り外し可能とされる
ことを特徴とする遊技機。
【０２４６】
本発明群の特徴Ｆ３によれば、基板ケースと本体ベースとに係合する本体封止部が封止手段から離れた位置に設けられているので、封止手段および本体封止部の一方を発見してその封止を解除できたとしても、他方の発見や封止解除までに時間を要することとなり、不正目的による基板ケースの開封を諦めさせる可能性を高めることができる。
【０２４７】
特徴Ｆ４．
本発明群の特徴Ｆ１から特徴Ｆ３のいずれかに記載された遊技機において、
前記移動部材に加えられる間接的な外力は、
前記基板ケースおよび前記本体ベースの外側から接近させた磁石（磁石Ｆ１）から作用する磁力、
前記基板ケースまたは前記本体ベースに設けられた挿通孔（挿通孔２２５，２２８）を通して送られる流体により作用する圧力、
または、
前記基板ケースまたは前記本体ベースに設けられた挿通孔に挿入される針状部材から作用する押力である
ことを特徴とする遊技機。
【０２４８】
本発明群の特徴Ｆ４によれば、移動部材に加えられる間接的な外力は、磁力、圧力または押力である。間接的な外力が磁力である場合、磁石を準備しなければ移動部材を移動させることができない。間接的な外力が流体の圧力である場合、挿通孔から流体を送り込むか吸引する装置を準備しなければ移動部材を移動させることができない。間接的な外力が針状部材からの押力である場合、針状部材を準備しなければ移動部材を移動させることができない。したがって、磁力、圧力または押力による移動部材の移動方法を知らなければ、容易に封止を解除して基板ケースを取り外すことができず、基板ケース内部の制御基板に対する不正行為を低減させることができる。
【０２４９】
特徴Ｆ５．
本発明群の特徴Ｆ１から特徴Ｆ４のいずれかに記載された遊技機において、
前記基板ケースおよび前記本体ベースの少なくとも一方は、透明樹脂材料から形成され、
前記第１封止部および前記第２封止部における前記移動部材に対応した位置には不透明部が設けられている
ことを特徴とする遊技機。
【０２５０】
本発明群の特徴Ｆ５によれば、基板ケースや本体ベースが透明樹脂材料から形成された場合に、移動部材に対応した位置に不透明部が設けられていることで、基板ケースおよび本体ベースの外側から移動部材が認識できないあるいは認識しにくくすることができる。したがって、移動部材によって基板ケースが本体ベースに係止されていることが気づかれにくくなり、基板ケースの不正な取り外しをより一層抑制することができる。
【０２５１】
特徴Ｆ６．
本発明群の特徴Ｆ１から特徴Ｆ５のいずれかに記載された遊技機において、
前記第１封止部および前記第２封止部の一方には、前記移動部材を収容可能な第１凹部（筒状部２２２）が設けられ、他方には、前記移動部材を挿入可能な第２凹部（係止凹部２１１）が設けられ、前記第１ケース体および前記第２ケース体が互いに組み合わされた状態において、前記第１凹部と前記第２凹部とが連通されて前記移動部材が往復移動可能な移動空間（移動空間Ｓ２）が形成されている
ことを特徴とする遊技機。
【０２５２】
本発明群の特徴Ｆ６によれば、第１凹部と第２凹部とが連通されて移動空間が形成され、この移動空間の内部を移動部材が直線的に往復移動することで、係止位置と非係止位置との間を移動部材が円滑に移動することができる。また、第１凹部および第２凹部を不透明な筒状部材から構成することで、移動部材が認識できなくすることができ、基板ケースの不正な取り外しをさらに抑制することができる。
【０２５３】
このような本発明の特徴Ｆ群によれば、遊技機の制御基板に対する不正行為を低減させることができるので、次のような課題を解決することができる。
【０２５４】
従来、遊技の制御を行う制御基板を収容する基板ケースを備え、この基板ケースが遊技機本体の内部に取り付けられ、外部から視認や操作ができないように隠ぺいされた遊技機が知られている。基板ケースは、遊技機本体に固定されたベースに対して本体封止機構を介して取り付けられるとともに、ケース自体を封止するためのケース封止機構を備えて構成されている。このような本体封止機構やケース封止機構は、封止機構の所定箇所を破壊しない限り開封できない構造になっている。このため遊技機本体から基板ケースを不正に取り外したり、基板ケースを不正に開封したりすることが困難であるとともに、不正に開封されたことが判別できるようになっている。
【０２５５】
しかしながら、遊技機のベースに対して基板ケースを取り付ける本体封止機構は、その所定箇所を破壊すれば開封できることが判別可能であり、不正目的をもって所定箇所を破壊して基板ケースを取り外そうとする行為そのものを防止することが実質的に不可能であり、制御基板に対する不正行為を効果的に抑制することが難しいという問題がある。
【０２５６】
以上のように、本発明は、スロットマシン、パチンコ遊技機等の遊技機に好適に利用できる。
【符号の説明】
【０２５７】
１０      スロットマシン（遊技機）
１１      筐体（遊技機本体）
１２      前面扉（遊技機本体）
１２ａ    支持凹部（回転支持部）
８０      本体ベース
９０      封止構造（本体封止部）
１００      主制御装置
１０１，１０１Ａ，１０１Ｂ  基板ケース
１０２      主基板（制御基板）
１０４      ベース部材（第１ケース体）
１０５      カバー部材（第２ケース体）
１２６      中心突起（回転中心部）
１２７，１２８  挿通孔
１４０      第１封止構造（封止手段）
１４１      第１封止部
１４１ｃ    筒状部（第２凹部、第２筒部）
１４２      第２封止部
１４２ｃ    筒状部（第１凹部、第１筒部）
１４１ｄ，１４２ｅ，１４２ｆ  凹凸面部（不透明部）
１４３      移動部材
１５０      第２封止構造（封止手段）
１５１      第１封止部
１５１ｃ    筒状部（第２凹部、第２筒部）
１５２      第２封止部
１５２ｃ    筒状部（第１凹部、第１筒部）
１５１ｄ，１５２ｅ，１５２ｆ  凹凸面部（不透明部）
１５３      移動部材
１５４      規制部材
１５４ａ    規制部材本体
１５４ｂ    延出片部
１５４ｃ    係合片部
１５４ｅ    傾斜面部
１５５      貫通孔
１５６      被係合部
１５７      挿入凹部
１６０      ケースかしめ構造（第２封止手段）
１６１      第１ブラケット
１６２      第２ブラケット
１６３      封印キャップ（封止部材）
２００      封止構造（封止手段）
２０１      第１封止部
２０２      第２封止部
２０３      移動部材
２０４      規制部材
２１１      係止凹部（第２凹部）
２２２      筒状部（第１凹部）
２２５，２２８  挿通孔
２２７      被係合部
２３１      規制部材本体
２３２      延出片部
２３３      係合片部
２３５      傾斜面部
Ｆ１        磁石
Ｆ３        ピン部材（針状部材）
Ｓ          収容空間
Ｓ２        移動空間
【図１】
2018102624.tif 000003
【図２】
2018102624.tif 000004
【図３】
2018102624.tif 000005
【図４】
2018102624.tif 000006
【図５】
2018102624.tif 000007
【図６】
2018102624.tif 000008
【図７】
2018102624.tif 000009
【図８】
2018102624.tif 000010
【図９】
2018102624.tif 000011
【図１０】
2018102624.tif 000012
【図１１】
2018102624.tif 000013
【図１２】
2018102624.tif 000014
【図１３】
2018102624.tif 000015
【図１４】
2018102624.tif 000016
【図１５】
2018102624.tif 000017
【図１６】
2018102624.tif 000018
【図１７】
2018102624.tif 000019
【図１８】
2018102624.tif 000020
【図１９】
2018102624.tif 000021
【図２０】
2018102624.tif 000022
【図２１】
2018102624.tif 000023
【図２２】
2018102624.tif 000024
【図２３】
2018102624.tif 000025
【図２４】
2018102624.tif 000026
【図２５】
2018102624.tif 000027
【図２６】
2018102624.tif 000028
【図２７】
2018102624.tif 000029
【図２８】
2018102624.tif 000030
【図２９】
2018102624.tif 000031
【図３０】
2018102624.tif 000032
【図３１】
2018102624.tif 000033
【図３２】
2018102624.tif 000034
【図３３】
2018102624.tif 000035
【図３４】
2018102624.tif 000036
【図３５】
2018102624.tif 000037
【図３６】
2018102624.tif 000038
【図３７】
2018102624.tif 000039
【図３８】
2018102624.tif 000040
【図３９】
2018102624.tif 000041